(57)【要約】  内側部分と複数のストラップとを含む１ピースのニットアッパーを含む履物物品であって、履物物品は、ニットアッパーに形成された１つまたは複数の開口部、ニットアッパーのエッジによって少なくとも部分的に画定された１つまたは複数の開口部の周囲をさらに含んでもよく、また、開口部を画定するニットアッパーの縁にパイプ縁取りを固定してもよく、さらに、ソールをニットアッパーに結合してもよく、少なくとも一例では、履物物品は、複数のコードを含むレーシングシステムをさらに備えてもよく、ニットアッパーのストラップは、レーシングシステムの別個のコードセクションがそこに取り付けられてもよく、少なくとも１つの例では、ニットアッパーに取り付けられたレーシングシステムのコードの上にプラスチックオーバーレイを配置することができる。【選択図】図１
2020508807.tif 000002
【特許請求の範囲】
【請求項１】
ニット中間部分と、ニット中間部分から延びる複数のニットストラップとを含む単一ピースのニットアッパーと、
前記ニット中間部分の上部に配置された内側コードセクションと、
それぞれが、前記複数のニットストラップの対応するニットストラップの上部に配置され、前記内側コードセクションとインターロックするループを形成する複数のストラップコードセクションと、
前記ニットアッパーに結合されたソールと、を備える、
履物物品。
【請求項２】
複数のストラップオーバーレイをさらに備え、前記複数のストラップオーバーレイのそれぞれが、前記複数のストラップコードセクションにおいて対応する前記ストラップコードセクション上に配置される、
請求項１記載の履物物品。
【請求項３】
前記複数のストラップオーバーレイのそれぞれが、対応する前記ストラップコードセクションの長さの約８０％を覆う、
請求項２記載の履物物品。
【請求項４】
前記複数のストラップオーバーレイのそれぞれは、形成された１つまたは複数の開口部を含む、
請求項２記載の履物物品。
【請求項５】
前記単一ピースのニットアッパーが、ニットヒールストラップをさらに含む、
請求項１記載の履物物品。
【請求項６】
前記ニットヒールストラップの上に配置されたヒールコードセクションと、
前記ヒールコードセクションの上に配置されたヒールストラップオーバーレイとをさらに含む、
請求項５記載の履物物品。
【請求項７】
靴底の上部に結合された取り外し可能なフットベッドをさらに備え、
前記取り外し可能なフットベッドが、フットウェア製品の外部の一部を形成する、
請求項１記載の履物物品。
【請求項８】
ニット中間部分を含むとともに、前記ニット中間部分から延びる複数のニットストラップを含む複数のニットストラップが互いに隣接して配置され、エッジによって画定される開口部が、隣接するストラップの各対の間に形成されているニットアッパーと、
前記ニットアッパーのエッジに固定され、隣接するストラップの各ペアの間に形成された前記開口部を定義するエッジパイピングと、
前記ニットアッパーの上に配置されたレーシングシステムと、
前記レーシングシステムの上に配置された複数のオーバーレイと、
前記ニットアッパーに結合されたソールと、を備える
履物物品。
【請求項９】
前記レーシングシステムが複数のストラップコードセクションを含み、前記複数のストラップコードセクションの各ストラップコードセクションが、複数のニットストラップの対応するニットストラップの上に配置される、
請求項８記載の履物物品。
【請求項１０】
前記複数のストラップコードセクションの各ストラップコードセクションの一部が、複数のオーバーレイの対応するストラップオーバーレイによって覆われている、
請求項９記載の履物物品。
【請求項１１】
前記複数のストラップオーバーレイのそれぞれが、開口部を露出する１つまたは複数のストラップコードを含む、
請求項１０記載の履物物品。
【請求項１２】
内側ニット部分に隣接する各ストラップコードセクションの端部が、対応するストラップオーバーレイによって覆われていない、
請求項１０記載の履物物品。
【請求項１３】
対応するストラップオーバーレイによって覆われていない内側ニット部分に隣接する夫々の前記ストラップコードセクションの端部が、前記ストラップコードセクションの長さの約２０％である、
請求項１２記載の履物物品。
【請求項１４】
靴底および靴底のループおよびフック取り付け領域を介して靴底の上部に連結されているとともに、前記靴底の上部に配置され取り外し可能なフットベッドをさらに含む、
請求項８記載の履物物品。
【請求項１５】
履物物品であって、
内側部分と、前記内側部分から延びる複数のニットストラップと、およびニットヒールストラップを含むニットアッパーと、
ニット中間部分、前記複数のニットストラップのそれぞれの上に配置されたストラップコードセクション、およびニットヒールストラップの上に配置されたヒールコードセクションの上に配置される。内側コード部を含む、レーシングコード構造と、
前記レーシングコード構造上に配置された複数のコードトラッピングオーバーレイと、
前記ニットアッパーに連結されたソールと、
履物物品の外側の一部を形成するとともに、靴底の上部に結合され、取り外し可能なフットベッドと、を備える
履物物品。
【請求項１６】
前記ニットアッパーが前記ニットヒールストラップをさらに含み、
ヒール開口部がニットヒールストラップと取り外し可能なフットベッドの上部との間に形成されている、
請求項１５記載の履物物品。
【請求項１７】
レーシング構造のヒールコードセクションが、ニットヒールストラップに連結され、
前記ヒールコードセクションが、レーシング構造の内側コードセクションと連動する、
請求項１６記載の履物物品。
【請求項１８】
前記複数のストラップコードループのそれぞれが、前記内側コードセクションとインターロックする、
請求項１７に記載の履物物品。
【請求項１９】
複数のコード捕捉オーバーレイがプラスチック材料を含む、
請求項１５記載の履物物品。
【請求項２０】
取り外し可能なフットベッドが耐水性材料を含む、
請求項１５記載の履物物品。
【発明の詳細な説明】
【技術分野】
【０００１】
関連出願への相互参照
本出願は、２０１７年３月６日に出願された「縁にニットアッパーを有する履物物品」という名称の米国特許出願第６２／４６７７６５号の国際出願である。上記で参照された出願の全内容は、あらゆる目的のために参照により本明細書に組み込まれる。
【背景技術】
【０００２】
ニットアッパーを含む履物物品は、ユーザにとってフィット感と快適性を改善するのに有益である。例えば、ニットアッパーの柔軟性は、履物物品のフィット感と快適性を改善するのに有益である。しかしながら、ニットアッパーを含む履物物品にはいくつかの課題がある。
【発明の概要】
【発明が解決しようとする課題】
【０００３】
例えば、ニットアッパーの柔軟性は履物物品のフィット感と快適性に有益であっても、この柔軟性は履物物品の特定の部分において望ましい構造を欠いている場合がある。具体的には、アッパーに使用されるニット材料の柔軟性は、ニットアッパーのストラップ間において形成される開口部など、ニットアッパーの開口部の構造化に関する問題を引き起こす可能性がある。加えて、ニットアッパーの柔軟性は、履物物品の足首領域における横方向支持など、履物物品における十分な横方向支持を提供しない場合がある。
【０００４】
さらに、ニットアッパーは、たとえば革などの他の素材に比べて劣化しやすい場合がある。特に、ニットアッパーの頻繁な伸縮により、ニット生地のアッパーのエッジが劣化しやすくなる。さらに、少なくとも１つの例では、ニットアッパーを含む履物物品は、ニットアッパー上に配置されるコードを用いたレーシングシステムの構成要素を含み得る。しかしながら、少なくとも１つの実施形態では、履物物品はレーシングシステムを含まなくてもよく、代わりに履物物品においてユーザの足に保持することをニットアッパーに依存してもよい。
【課題を解決するための手段】
【０００５】
本発明者らは、ニットアッパーを含む履物物品に関するこれらの欠点を認識している。したがって、上記の問題に少なくとも一部に対処するために、本明細書の発明者らは、履物の構造に対する代替アプローチを採用した。一例では、本発明者らは、ニットアッパーの中央部分とストラップ間に開口部を含む一体構造で形成されたストラップを備えたニットアッパーを含む履物物品を開発した。ストラップはエッジパイピングで裏打ちされているとともに、プラスチック素材などの素材で覆われており、ニット生地の柔軟性、快適さ、感触、視覚的な魅力を維持しながら、所望の完全性を提供する。少なくとも１つの例では、オーバーレイプラスチック材料は熱可塑性ポリウレタン（ＴＰＵ）であってもよい。しかしながら、ポリウレタン（ＰＵ）などの他の材料もオーバーレイ材料として使用できる。加えて、少なくとも１つの例では、コード構造およびニットアッパーの視認を可能にするために、オーバーレイは透明であってもよい。オーバーレイは、例えば、ニットアッパーへの接着、縫い付け、またはオーバーレイの直接成形のいずれか１つまたは複数を介してニットアッパーに結合されてもよい。
【０００６】
履物物品のストラップをエッジパイピングで裏打ちすることにより、エッジの劣化が低減され、履物物品の形状がよりよく維持され得る。例えば、エッジパイピングによって開口部の構造を提供することにより、アッパーに形成された開口部の形状およびサイズの歪みを防ぐのに役立つ。
【０００７】
さらに、ストラップの上に置かれたＴＰＵなどのオーバーレイを含めると、ストラップの剛性を高めるのに役立ち、ニットアッパーの快適さとフィット性の利点を提供しながら、ストラップの形状が維持される。具体的には、プラスチックのオーバーレイ素材がストラップの上に置かれており、ニットのアッパーは履物を着用しているユーザの足にまだ直接接触しているため、ニット材料のフィット感と快適さの利点を提供しながらストラップの形状を維持する。
【０００８】
さらに、少なくとも一例では、履物物品は、コードセクションを含むレーシングシステムを含んでもよく、これらのコードセクションの少なくともいくつかは、履物物品とニットアッパーのオーバーレイの間に配置されてもよい。これらのオーバーレイは、たとえば、オーバーレイとニットのアッパーとの間にコードを閉じ込めるために、コードセクションの上に提供されるコード固定オーバーレイとしてもよい。
【０００９】
靴レーシングシステムのコード構造は、履物物品のフィット感のさらなる調整を可能にするためにニットアッパーの上部に配置されてもよく、コードセクションを互いに取り付けるインターロックループシステムを含んでもよい。例えば、レーシングシステムは、履物物品のヒールストラップと足首に巻き付けるコードを含んでもよい。
【００１０】
本明細書におけるループへの言及は、レーシングシステムのコード構造のコードによって形成されるアーク形状を指し、アーク形状のいずれかの端部は自由ではない（例えば、ニットアッパーに対して捕捉される）ことに留意されたい。例えば、履物物品のニットアッパーに捕捉されないコードセクションの一部の屈曲により、円弧形状（ループ）が形成されてもよい。例えば、ループは、履物物品のニットアッパーに対してコードセクションのほぼ全長であるものとして捕捉して形成されてもよく、ニットアッパーに捕捉されないコードセクションの残りの部分をコードセクションの端部とし、弧の形状（ループ）を形成するために曲げ、弧の形状の両端をニットアッパーに保持させることができる。
【００１１】
さらに、レーシングシステムのコードの少なくともいくつかの上にオーバーレイを含めることは、履物物品に対してコードを保持するための追加の強度を提供し、履物物品の足首およびヒールストラップ部分に追加の支持を提供できる。コードセクションの上に設けられたオーバーレイは、コード構造部分を所定の位置に保持し、例えばコードセクションの引っ張りによりニットアッパーに加えられる力を分散させる目的に役立つ。したがって、コード構造セクションは、オーバーレイとニットアッパーとの間のコードセクションの配置により、ニットアッパーに対してより強く保持され、コードセクションを引っ張ることによりニットアッパーに加えられる力の分散は、ニットアッパーの裂け目を防ぐ一助となる。さらに、オーバーレイには、ニットのアッパーの領域に追加のサポートを提供するというさらなる利点がある。したがって、コードをニットアッパーに直接接着する必要なく、コードは、オーバーレイを介してニットアッパーの上部に保持されてもよい。
【図面の簡単な説明】
【００１２】
【図１】本開示の少なくとも１つの例による履物物品の上面図を示す。
【００１３】
【図２】本開示の少なくとも１つの例による履物物品の第１の側面図を示す。
【００１４】
【図３】本開示の少なくとも１つの例による履物物品の第２の側面図を示す。
【００１５】
【図４】本開示の少なくとも１つの例による履物物品の正面斜視図を示す。
【００１６】
【図５】本開示の少なくとも１つの例による履物物品の背面図を示す。
【００１７】
【図６Ａ】本開示の少なくとも１つの例による履物物品の背面斜視図を示す。
【００１８】
【図６Ｂ】本開示の少なくとも１つの例による例示的な履物物品であって、履物物品のフットベッドが取り外されている背面斜視図を示す。
【００１９】
【図７Ａ】本開示の少なくとも１つの例による例示的なフットベッドの概略的な上面図を示す。
【００２０】
【図７Ｂ】本開示の少なくとも１つの例による例示的なフットベッドの底部の概略的な底面図を示す。
【００２１】
【図８】本開示の少なくとも１つの例による履物物品の靴底部の上部の概略的な上面図を示す。
【００２２】
【図９】本開示の少なくとも１つの例による履物物品の上面図であり、オーバーレイ、レーシングシステム、およびフットベッドを、表示を見やすくするために除去した状態で示した図である。
【００２３】
【図１０】本開示の少なくとも１つの例による履物物品の底面図である。
【００２４】
図１〜６及び９、１０は、ほぼ縮尺どおりに記載されている。ただし、必要に応じて他の相対寸法を使用することもできる。
【発明を実施するための形態】
【００２５】
本明細書では、開口部が形成されたニットアッパーと、エッジパイピングおよびプラスチックオーバーレイなどの構造要素とを含む履物物品について説明する。図１から１０には、この特徴を含む履物物品の例が示されている。履物物品のニットアッパーは、単一部品として形成されてもよく、中間部分と、ニットアッパーの中間部分から横方向に延びる１つまたは複数のストラップを含んでもよい。ニットアッパーに１つ以上の開口部が形成されてもよく、ニットアッパーに形成された開口部の周囲を画定するエッジアッパーがニットアッパーのエッジに設けられてもよい。開口部の周囲を形成するニットアッパーのエッジにエッジパイピングを設けることにより、例えば、開口部の構造も提供しながら、ニットアッパーのエッジの劣化を防ぐことができる。
【００２６】
追加的または代替的に、履物物品は、コード構造を含むレーシングシステムを含んでもよい。しかし、他の例では、履物物品はコード構造を含まなくてもよく、履物物品の上部をユーザの足にさらに締め付けるためのレーシングシステムを有する代わりに、履物物品は単にユーザの足に引っ張られてもよい。さらに、少なくとも一例において、履物物品は、ニットアッパーの部分構造を提供するプラスチックオーバーレイなどのオーバーレイを含んでもよい。さらに、履物物品がレーシングシステムを含むことができる例では、オーバーレイを使用して、レーシングシステムの構成要素をニットアッパーに固定することができ、レーシングシステムはコードセクションを含むコード構造を含むことができる。
【００２７】
少なくとも１つの実施形態では、履物物品により提供される外側足首サポートの量を増加させるために、外側足首オーバーレイをニットアッパーに取り付けることができる。別の例では、ニットアッパーに取り付けられたコードセクションの上部にオーバーレイを固定して、コードアッパーをニットアッパーの所定の位置に保持するのを助けることができる。さらに、ニットアッパーのコードセクションの上部にオーバーレイを設けることで、コードアッパーを引っ張る際にニットアッパーに加えられる力が分散され、ニットアッパーの裂けを防ぐことができる。したがって、オーバーレイを含めることで、追加の構造を提供すると同時に、ニット素材を損傷から保護する力分散ツールとして機能させることができる。
【００２８】
ニットアッパーを含む履物物品では、適切なフィット感と快適性を確保するために、他の機能が含まれていてもよい。例えば、取り外し可能なフットベッドを用いることで、ユーザの快適性の好みに基づいて、履物物品のフットベッドを選択することができる。
【００２９】
さらに、図１〜１０は、さまざまなコンポーネントの相対的な配置を示している。少なくとも一例において、互いに直接接触している、または直接結合していることが示されている場合、そのようなコンポーネントは、それぞれが直接接触または直接結合しているものとする場合がある。同様に、少なくとも一例において、隣接または互いに隣接して示されるコンポーネントは、それぞれについて隣接または互いに隣接してもよい。一例として、互いに面を共有する接触状態にあるコンポーネントは、面を共有する接触状態にある、または互いに物理的に接触していると呼ばれる場合がある。別の例として、少なくとも１つの例では、その間に空間のみがあり他の構成要素はない状態で互いに離れて配置された要素は、そのように呼ばれてもよい。
【００３０】
さらに別の例として、互いの上または下、互いの反対側、または互いの左右に示される要素は、互いに関してそのように呼ばれ得る。さらに、少なくとも１つの例において、図に示されるように、最上部の要素または要素の点は、コンポーネントの「上部」と呼ばれる場合があり、要素の最下部の要素または点は、コンポーネントの「底部」と呼ばれる場合がある。そのような「上部」、「底部」などの相対的な位置決め用語は、特に明記しない限り、ソールがアッパーより下にある直立位置の履物物品を指す場合がある。本明細書で使用されるように、複数の上部及び下部の記載は、図の垂直軸に対するものであり、互いに対する図の要素の位置決めを説明するために使用され得る。したがって、一例では、他の要素の上に示される要素は、垂直方向において、他の要素の上に配置される。さらに別の例として、図内に描かれた要素の形状は、それらの形状を有すると呼ばれる場合がある（例えば、円形、直線、平面、湾曲、丸み、面取り、角度など）。さらに、少なくとも１つの例で、互いに交差するように示される要素は、交差する要素または互いに交差すると呼ばれる場合がある。さらに、別の要素内に示される要素、または別の要素の外側に示される要素は、一例ではそのように呼ばれ得る。さらに、本明細書の図中の履物物品の例では、ユーザの左足用の左履物物品を示しているが、これらの左履物物品は、ユーザの右足用の右履物物品しての特徴も示すことが理解されよう。そのような右履物物品の例は、示された左履物物品の例を鏡写しにしたものであり、示された左履物物品の例と鏡像関係を有する。これらの右履物物品は、本明細書に記載される例示的な左履物物品の特徴のいずれか１つまたは組み合わせを有する。
【００３１】
議論の目的のため、図１〜１０についてまとめて説明する。
【００３２】
図１は、アッパー１０６を含む第１の例示的な履物物品１００を示す。アッパー１０６は、１０１で示されるように、ニット素材を含んでもよい。ニット材料インジケータブロック１０１は他の図には含まれていないが、他の図のアッパーもニット材料を含み得ることに留意されたい。履物物品１００はソール１０２を含んでもよい。一例では、ソール１０２はインソール／ミッドソールを含むことができる。したがって、インソールおよびミッドソールは、履物物品の単一の構成要素となり得る。しかし、他の例に示すように、インソールとミッドソールは履物物品に対して、別々のコンポーネントであってもよい。履物物品１００は、履物物品１００のアッパー１０６の内面とソール１０２との間に形成された内部空洞内に配置されたフットベッド１３０をさらに備えてもよい。
【００３３】
少なくとも１つの例では、履物物品のインソール／ミッドソール１０２およびフットベッド１３０は、履物物品の快適性を改善するためにＥＶＡで作られてもよい。インソールとミッドソールを別々のコンポーネントとして構成できる例では、インソールをＰＵで作成し、ミッドソールをたとえばＴＰＵなどの異なる材料で作成してもよい。さらに、履物物品のインソール／ミッドソール１０２を構築する際に、ポリ塩化ビニル（ＰＶＣ）などの材料を追加的または代替的に使用することができる。インソール／ミッドソール１０２は、履物物品のつま先領域１２８の上部にわたって延びて、つま先バンパー１５０を形成してもよい。つま先バンパー１５０は、例えば、使用者の足に追加の保護を提供し得る。さらに、つま先バンパー１５０は、耐水性の利点を提供し得る。
【００３４】
ソール１０２はアッパー１０６に取り付けられてもよく、アッパー１０６はニット材料を含んでもよい。アッパー１０６は履物物品の上部を形成し、ソール１０２は履物物品の底部を形成しており、ここで、アッパー１０６とソール１０２とは互いに対向する。したがって、アッパー１０６は、本明細書ではニットアッパーとも呼ばれ得る。ニットアッパー１０６は、縫い付け、接着、音波溶接、および他の取り付け方法のいずれか１つまたは組み合わせを介してソール１０２に取り付けられてもよい。
【００３５】
少なくとも１つの例では、ニットアッパー１０６は、本体１０８と、複数の横方向部分１１０ａ、１１０ｂ、１１０ｃ、１１０ｄ、１１０ｅ、１１０ｆと、横方向部分１１０ａ、１１０ｂ、１１０ｃ、１１０ｄ、１１０ｅ、１１０ｆとを含むことができる。本明細書ではストラップと呼ばれ、ニットアッパー１０６の本体１０８から延びている。アッパー１０６の本体１０８から延びるこれらのストラップ１１０ａ、１１０ｂ、１１０ｃ、１１０ｄ、１１０ｅ、１１０ｆは、アッパーの本体と単一である単一片で形成することができる。少なくとも一例では、ストラップ１１０ａ、１１０ｂ、１１０ｃ、１１０ｄ、１１０ｅ、１１０ｆは、履物物品１００の縦軸１０３に関して対称であってもよい。ストラップは互いに実質的に平行であってもよい。
【００３６】
追加的または代替的に、オーバーレイは、履物物品の外側足首領域、履物物品のヒールストラップ１３２、および、履物物品のつま先領域１２８を含む位置のいずれか１つまたは組み合わせが、履物物品のニットアッパー１０６に含まれてもよい。履物物品のつま先領域１２８でニットアッパー１０６上にオーバーレイを含めた例では、オーバーレイは耐摩耗性を提供し、ニットアッパー１０６に何らかの構造を提供している。オーバーレイは、履物物品のニットアッパー１０６の上部に配置されてもよく、接着剤、縫い付け、ニットアッパーへの透明材料オーバーレイの直接成形、音波溶接、その他の固定装置のいずれか１つまたは組み合わせを介して履物物品に取り付けられてもよい。
【００３７】
少なくとも１つの例として、履物物品１００は、ニットアッパーとは異なる材料であり、ニットアッパー１０６の１つまたは複数のストラップ１１０ａ、１１０ｂ、１１０ｃ、１１０ｄ、１１０ｅ、１１０ｆを覆うことができる１つまたは複数のストラップオーバーレイ１４４を含むことができる。例えば、ニットアッパー１０６の１つ以上のストラップ１１０は、ニットアッパー１０６の外面に結合されたプラスチックストラップオーバーレイ１４４を含んでもよい。
【００３８】
少なくとも１つの実施形態では、履物物品の１つ以上のオーバーレイは、ＴＰＵで作られてもよく、オーバーレイが含まれる領域でニットアッパー１０６の補強をしてもよい。あるいは、オーバーレイは、所望の構造的支持を提供する特性を含んだＰＵまたは別の材料で作られてもよい。ＴＰＵまたはＰＵの使用は、例えば、履物物品のヒールストラップ１３２、ストラップ１１０、つま先領域１２８、および足首領域１２６のうちの１つ以上に形態および構造的支持を提供し得る。追加的または代替的に、オーバーレイの材料は、ニットアッパー１０６のニット材料と一体化されてもよい。例えば、少なくとも１つの実施形態では、ＴＰＵは、ニットアッパー１０６のストラップ部分など、製造中にニットアッパーのニット材料に織り込まれてもよい。オーバーレイに使用できる上記の他の材料、たとえばＰＵは、製造中にニットアッパー１０６のニット材料に織り込まれてもよい。
【００３９】
さらに、少なくとも一例では、ニットアッパーの少なくとも一部を密封するために、ニットアッパーに１つまたは複数のオーバーレイが提供されてもよい。例えば、１つ以上のオーバーレイを使用して、１つ以上の小片および水が、履物物品を貫通するのを低減することができる。追加的または代替的に、ニットアッパーのニット材料は、ニットアッパーの耐水性を改善するために、その上に塗布された耐水性コーティングを有してもよい。１つ以上のオーバーレイは、履物物品１００の様々な領域でニットアッパー１０６の外面に配置されてもよい。例えば、１つ以上のオーバーレイは、履物物品１００のストラップ１１０、つま先領域１２８、ヒールストラップ１３２、および足首領域１２６のいずれか１つまたは組み合わせに配置されてもよい。したがって、履物物品は、ストラップオーバーレイ１４４、ヒールストラップオーバーレイ１４３、つま先オーバーレイ１４５、上部足首オーバーレイ１４７、および外側足首オーバーレイ１４２のうちの１つまたは複数を含み得る。履物物品のつま先は、使用中により多くの水や有機物にさらされる可能性があるため、つま先オーバーレイ１４５の使用は、ニットアッパー１０６を貫通する水および有機物からのシールを提供するのに特に有利となる。
【００４０】
オーバーレイの厚さは、ニット上部オーバーレイが含まれる各位置で同じ厚さであってもよく、またはオーバーレイが含まれる異なる位置でオーバーレイの厚さが異なってもよい。追加的または代替的に、オーバーレイの厚さは、特定のオーバーレイセクション内で変えることができる。例えば、図２でより詳細に説明されるように、外側足首オーバーレイ１４２の厚さは、均一な厚さであるのに対して、外側足首オーバーレイ１４２の厚さを変えることができる。オーバーレイの厚さを変えることは、例えば、履物物品において特定の支持構造を提供する際に有益になり得る。
【００４１】
しかしながら他の例として、各オーバーレイセクションの厚さは均一とする。例えば、オーバーレイセクションにおいて、このように均一な厚さとすることは、オーバーレイの作成を簡素化するために役立つ。
【００４２】
さらに、少なくとも１つの例では、オーバーレイに使用される材料は、履物物品の異なる場所で異なる場合がある。例えば、つま先オーバーレイ１４５に使用される材料は、ヒールストラップオーバーレイ１４３に使用される材料とは異なる場合がある。異なるオーバーレイに使用されるこれらの異なる材料は、靴の特定の場所に選択された材料がその場所に望ましいサポートと機能を提供することを保証するために、引張強度、柔軟性、およびその他の特性の１つ以上に基づいて選択される。しかし、他の例では、オーバーレイに使用される材料は、履物物品のすべての場所で同じである場合があり、これは製造を簡素化するのに役立つ場合がある。
【００４３】
オーバーレイの厚さが増すと、オーバーレイの剛性が増す。したがって、より厚いオーバーレイを含むアッパーの部分は、より薄いオーバーレイを含む可能性のあるアッパーの部分と比較して、より多くの構造的支持を有し得る。したがって、少なくとも１つの例では、より少ない支持が必要とされる可能性がある領域と比較して、より多くの支持が望まれるニットアッパー１０６の領域において、オーバーレイの厚さがより大きくなり得る。例えば、外側足首オーバーレイ１４２およびヒールストラップオーバーレイ１４３の材料の厚さは、ストラップオーバーレイ１４４およびつま先オーバーレイ１４５に比べて厚くてもよい。
【００４４】
これは、履物物品のストラップおよびつま先よりも、履物物品の足首部分およびヒール部分でより多くの支持が望ましい場合があるため、特に重要である。さらに、ＴＰＵなどのオーバーレイ素材が薄すぎると、必要なサポートが提供されない場合がある。追加的または代替的に、外側足首オーバーレイ１４２から履物物品の中心に向かって延びる上部足首オーバーレイ１４７を含めることができる。少なくとも１つの例では、上部足首オーバーレイ１４７は、ストラップオーバーレイ１４４と同様または同じ厚さを有してもよい。
【００４５】
少なくとも１つの例では、ニットアッパー１０６の本体１０８は、ニットアッパー１０６の内側部分であり得ることに留意されたい。したがって、ニットアッパー１０６の本体１０８は、本明細書ではニットアッパーの内側部分とも呼ばれ得る。たとえば、ニットアッパー１０６の本体１０８およびストラップ１１０は、ニットアッパー１０６のストラップ１１０またはヒールストラップ１３２を、ニットアッパー１０６の本体１０８に接続するための追加の締結処理および締結装置がない、単一の連続部品であってもよい。
【００４６】
例えば、本体１０８とストラップ１１０を含む単一の一体部品として形成されたニットアッパー１０６は、ストラップ１１０をニットアッパー１０６の本体１０８に取り付けるための追加の締結処理または装置を必要としないため、ニットアッパー１０６を形成するプロセスを簡素化するために有利となりうる。さらに、ニットアッパー１０６を１つのピースとして形成することにより、ストラップ１１０がニットアッパー１０６の本体１０８と一体化される場合、ストラップをアッパーの内側部分に縫い付け、接着、音波溶接、および他の固定装置または方法の１つまたは複数を介して締めることを含む他のアプローチと比較して、ニットアッパー１０６の強度を改善することができる。しかし、いくつかの例では、ストラップ１１０はニットアッパー１０６の本体１０８に固定されてもよい。
【００４７】
ニットアッパー１０６は、履物物品の横方向１４０に伸びるように形成されてもよい。いくつかの例では、ニットアッパー１０６のすべてが、履物物品の横方向１４０に伸びるように形成されている。しかし、他の例では、ニットアッパー１０６は、アッパーのいくつかの領域で横方向１４０に伸びており、アッパーの他の領域で異なる方向に伸びている。履物物品の横方向１４０に伸びるように、換言すれば、編まれた甲革の伸び方向が履物物品の幅を横切るようにニットアッパー１０６を形成することにより、より伸縮性を確保でき、手袋または靴下のようなフィット感を与えるため、履物物品は、ユーザの足にフィットする。対照的に、アッパーのニット材料のヒールからつま先までの方向に伸縮方向を構成することで、横方向１４０に伸縮するニットアッパーよりも伸縮性を小さくすることができる。
【００４８】
１２４ａ、１２４ｂ、１２４ｃ、１２４ｄ、１２４ｅ、１２４ｆ、１２４ｇ、１２４ｈを含む横断開口部１２４は、アッパー１０６の任意の１つまたは複数の位置に形成され得る。例えば、横断開口部１２４は、ストラップ１１０の各対間、ストラップ１１０とアッパー１０６の足首領域１２６との間、ストラップ１１０とアッパー１０６のつま先領域１２８との間、を含む履物物品の長さに沿った位置のいずれか１つまたは組み合わせに形成されてもよい。さらに、少なくとも１つの例では、履物物品は、履物物品のアウトソールに近接して配置されてもよく、ニットアッパーに形成された１つまたは複数の開口部を含んでもよい。
【００４９】
さらに、例えば、図３および図４及び図５〜６に示されるヒール開口部１３４は、履物物品のヒールストラップ１３２とフットベッド１３０との間に形成されてもよく、足首開口部１３６が履物物品のニットアッパー１０６とフットベッド１３０との間に形成されてもよい。少なくとも１つの例では、足首開口部１３６を定義するニットアッパー１０６の部分は、ユーザの足が履物物品内に配置されたときにユーザの足首の周りに適合する、足首開口部１３６の一部を囲むリブ付きのエッジを含む。さらに、ニットアッパー１０６全体とフットベッド１３０を含む履物物品のベースとの間に開口部が形成され、ユーザの足に履物物品を保持するために、履物物品のニットアッパー１０６とフットベッド１３０との間にユーザの足が配置され得ることに留意すべきである。
【００５０】
履物物品の前部とは履物物品のつま先領域１２８であってもよく、履物物品の足首領域１２６とは履物物品の後方領域であってもよく、履物物品のヒールは履物物品の背面を形成している。
つま先領域１２８および足首領域１２６は、履物物品の反対側の端部にあってもよく、履物物品のヒールは、履物物品のつま先と比較して履物物品の完全に反対側の端部に配置されている。
【００５１】
アッパー１０６に形成された横方向開口部１２４は、いくつかの目的に役立ち得る。例えば、アッパー１０６に横方向開口部１２４を形成することは、履物物品において通気性を良くするために有益であって、ユーザの快適性を改善でき、ニットアッパー１０６などの履物物品のアッパー１０６に横方向開口部１２４を形成することは、アッパー１０６を形成するのに必要な材料の量を減少させ、履物物品を製造するための材料のコストを削減できる。
【００５２】
追加的または代替的に、履物物品のアッパー１０６に形成された横断開口部１２４は、履物物品の動きを改善することができる。例えば、柔軟な特性を有するニットアッパーの材料に加えて、履物物品は、履物物品の長さに沿ってニットアッパー１０６に横断開口部１２４を含むことができ、これにより、履物物品は、そのような横方向開口部を含まない履物物品と比較して、履物物品の使用中にアッパー１０６をさらにより大きく屈曲させることができる。さらに、いくつかの例では、履物物品の上部に開口部を形成することにより、履物物品の総重量が減少し、例えば、長距離を歩く際のユーザの快適性が向上する場合がある。
【００５３】
少なくとも一例では、履物のアッパー１０６の内側部分１０８が履物の各側に形成された横断開口部１２４の間に位置する、履物の両側に沿って横断開口部１２４が形成されてもよい。しかしながら、少なくとも１つの実施形態では、横断開口部１２４は、履物物品の片側に沿ってのみ形成されてもよい。さらに、少なくとも１つの実施形態では、横方向開口部１２４は、内側部分１０８を備えたアッパー１０６を含まなくてもよい履物物品に形成されてもよい。例えば、横方向開口部１２４は、甲部全体にわたって延在してもよく、または横方向開口部１２４は、中央部分ではないアッパー１０６の一部まで延在してもよい。
【００５４】
さらに、アッパー１０６に形成された横方向開口部１２４は、ユーザの足で履物物品のより良い動きを提供するために、細長い形状などの特定の形状で形成されてもよい。例えば、履物物品の横方向開口部１２４は、履物物品の縦方向に沿って細長い形状で形成されてもよく、横方向開口部１２４の長さは、ニットアッパー１０６の横方向１４０に平行であり、ニットアッパー１０６は、ユーザの動きに合わせてよりよく曲げることができる。アッパー１０６の履物物品の長さに沿って細長い形状の横断開口部１２４を配置することにより、履物物品は、例えば、ユーザの歩行中に足によって、より良く曲げることができる。
【００５５】
さらに、履物物品のニットアッパー１０６に形成された特定のサイズの開口部１２４が利点を提供し得る。例えば、履物物品のつま先領域１２８の近位にある履物物品のニットアッパー１０６の開口部１２４ｄ、１２４ｈのサイズは、使用者のつま先がニットアッパー１０６に形成された横断開口部１２４ｄ、１２４ｈをすり抜けるのを防ぐために、開口部１２４の他の部分よりも小さいサイズで形成されてもよい。さらに、少なくとも１つの例では、開口部１２４ｄ、１２４ｈの形状は、ニットアッパー１０６に形成された他の開口部１２４と異なっていてもよい。
【００５６】
例えば、図示されていないが、開口部１２４ｄ、１２４ｈは、履物物品１００のソール１０２に直接隣接する開口部１２４ｄ、１２４ｈの一部が閉じられるように涙滴形状であってもよい。このような形状は、ユーザのつま先が横方向の開口部１２４ｄ、１２４ｈから滑り落ちるのを防ぐのに役立ち得る。涙滴形状の開口部１２４ｄ、１２４ｈは、閉じた部分とニットアッパー１０６の内側部分に隣接する横方向の開口部１２４ｄ、１２４ｈのエッジとの間に開口部１２４ｄ、１２４ｈの開口部を依然として含む場合に、履物物品のソール１０２が閉じられている開口部１２４ｄ、１２４ｈの部分に直接縫い付けることにより達成することができる。
【００５７】
少なくとも一例では、履物物品の長さに沿って形成されたすべての横断開口部１２４の形状およびサイズは同じであってもよい。しかしながら、他の例では、履物物品が上部を有するように構成するために、履物物品の長さに沿って横方向開口部１２４の形状およびサイズを変えることができ、アッパーの特定の部分で多少の通気と排水を提供し、履物物品の快適なフィット感を得ることができる。（例えば、ユーザのつま先が履物物品の上部を通って出ないように、開口部の大きさおよび形を整える。）横方向開口部１２４のサイズがユーザにとって快適なフィット感を達成するために重要であることに加えて、アッパー１０６に形成されるヒール開口部１３４および足首開口部１３６のサイズは、足首開口部１３６がニットアッパー１０６によって画定される開口部である場合、履物物品の快適なフィット感をユーザに提供するためにも重要となる。特に、足首開口部１３６は、ヒールストラップ１３２とニットアッパー１０６の内側部分に囲まれている。
【００５８】
例えば、足首開口部１３６は、履物物品の足開口部に足を配置するユーザに対応し、ユーザの足首に形成されるフィット感を提供するために、特定のサイズおよび形状で形成され得る。ヒール開口部１３４（図２−３および５−６に示される）に関して、ヒール開口部１３４は、特定のサイズおよび形状でアッパー１０６に形成されてもよい。これにより、ユーザの足が履物物品内に位置する場合に、ユーザのヒールが履物物品から容易に滑り落ちるのを防ぐことができる。
【００５９】
したがって、アッパーに形成された開口部のサイズは、履物物品がユーザに快適にフィットし、これらの開口部のサイズを維持するか、これらの開口部のサイズおよび形状が制限される量を制限するように選択され、履物物品の快適なフィット感が使用中に維持されることを保証するために、変更が重要な場合がある。例えば、開口部に引っ張り力または押圧力が加えられたときに、開口部の一部のサイズがほとんど変化しないようにすることが重要である。追加的または代替的に、アッパー１０６に形成された特定の開口部が元のサイズに戻るのに十分な弾性を有しながら伸びることを保証することが重要であり得る。
【００６０】
アッパー１０６に形成される開口部のサイズおよび形状が変化する量を制限するために、エッジパイピング１４６がニットアッパー１０６に適用される。これは、アッパーに形成された開口部の周囲に周囲を形成し、開口部の構造を提供する。例えば、横方向開口部１２４の周囲の少なくとも一部を形成するニットアッパー１０６のエッジにエッジパイピング１４６を設けることができる。いくつかの例では、ニットアッパー１０６に形成された開口部は、ニットアッパー１０６によって完全に囲まれていてもよいことに留意されたい。したがって、ニットアッパー１０６に形成された開口部がニットアッパー１０６によって完全に囲まれている例では、開口部を囲むニットアッパー１０６のエッジにエッジパイピング１４６を適用することができ、エッジパイピング１４６は、ニットアッパー１０６に形成された開口部も取り囲むことができる。エッジパイピング１４６は、糊付け、縫製、音波溶接、および他の固定手段のいずれか１つまたは組み合わせを介してニットアッパー１０６に適用されてもよい。エッジパイピング１４６をニットアッパー１０６のエッジに縫い付けることができる例では、ニットアッパーの伸縮運動を可能にするためにジグザグ縫い２３４を使用することができ、場合によってはエッジパイピング１４６が生じる。
【００６１】
しかし、いくつかの例では、ニットアッパー１０６に形成された開口部は、ニットアッパー１０６によって部分的にのみ囲まれている。例えば、ニットアッパー１０６は、ニットアッパー１０６によって形成される開口部の周囲の一部と、ソール１０２などの靴の別の部分によって形成される開口部の周囲の残りの部分とを含む開口部を含むことができる。したがって、ニットアッパー１０６が開口部の周囲の一部のみを形成する実施形態では、エッジパイピング１４６は、開口部の周囲を画定するニットアッパー１０６のエッジに設けられてもよく、エッジパイピング１４６は、開口部の周囲を囲むのではなく、開口部の一部を囲むものでもよい。いくつかの例では、ニットアッパー１０６に形成されたすべての開口部は、ニットアッパーに囲まれていてもよい。あるいは、いくつかの実施形態では、ニットアッパー１０６に形成された開口部のすべてが、ニットアッパー１０６によって形成されたそれらの周囲の一部のみを有してもよい。さらに、いくつかの実施形態では、ニットアッパー１０６に形成された開口部の一部はニットアッパー１０６によって囲まれてもよく、ニットアッパー１０６に形成された開口部の残りは、ニットアッパー１０６によって形成された開口部の周囲の一部のみを有してもよい。
【００６２】
ニットアッパー１０６の開口部の周囲を形成するニットアッパー１０６の一部に設けられたエッジパイピング１４６は、追加の構造的支持を提供するのに有益である。さらに、ニットアッパー１０６の開口部の周囲を形成するニットアッパー１０６の一部に設けられたエッジパイピング１４６は、開口部のサイズ、および形状が歪む量を制限できる。例えば、エッジパイピング１４６は、履物物品の使用中に開口部を引っ張り力および押圧力により、開口部のサイズおよび形状が変化する量を制限することができる。さらに、ニットアッパー１０６にエッジパイピング１４６を含めることにより、アッパーに使用されるニット材料のエッジの劣化を防ぐことができる。例えば、ニット素材の縁は、ニット織りの伸びと弛緩による劣化を受けやすい可能性がある。しかしながら、エッジパイピング１４６をニット材料のエッジに適用することにより、ニット材料のエッジは追加の構造的支持を有することができ、劣化からより保護された状態となる。
【００６３】
さらに、少なくとも１つの例では、ニットアッパー１０６に適用されるエッジパイピング１４６の材料は、耐水性材料であってもよい。例えば、エッジパイピング１４６は、耐水性の利点を提供し得るＴＰＵと一体化された材料から形成され得る。ニットアッパー１０６のエッジの耐水性を改善することにより、水がニットアッパーの中央部分に吸い上げられるのを防ぐことができる。
【００６４】
上記のエッジパイピング１４６、つま先バンパー１５０、およびオーバーレイのいずれか１つまたは組み合わせを介して、ニットアッパーの内側部分に吸い上げられる水の量を減らすことは、ニットアッパー１０６を含む履物物品に特に有益であり得る。これは、ニットアッパー１０６のニット材料は、濡れると水を閉じ込め、履物物品を着用する際に不快となる可能性があるため、特に重要である。ニットアッパー１０６に形成された開口部は、履物物品のニットアッパー１０６が濡れた場合に、靴底およびフットベッドの材料が防水性であることは、履物物品を換気および排水するためにさらに有益である。これにより、履物物品のニットアッパーが濡れた場合にも、乾燥時間を短縮できる。さらに、少なくとも一例では、履物物品のフットベッドは、履物物品のさらなる通気および排水を可能にするために取り外し可能なフットベッドであり得る。例えば、履物物品が濡れている可能性がある場合、取り外し可能なフットベッドを取り外して、履物物品の通気および排水を助け、履物物品を迅速に乾燥させることができる。履物物品に形成された開口部による履物物品の換気は、履物物品の使用中にユーザにとって快適な温度を維持するのにさらに有用であり得る。
【００６５】
ニットアッパーに適用されるエッジパイピング１４６は、エッジパイピング１４６が部分的または完全に取り囲まれている開口部に特有の、事前に選択された延性、引張強度、および弾性を有してもよい。例えば、履物物品のニットアッパー１０６に形成された開口部が、開口部の形状またはサイズをどれだけ変更できるかを制限することが望ましい場合、そのような開口部の周囲を形成するニットアッパー１０６に適用されるエッジパイピング１４６は、所定の閾値未満の延性とすることができる。例えば、延性の閾値は、ニットアッパーの延性の量となり得る。したがって、エッジパイピング１４６は、ニットアッパー１０６に形成された開口部の形状およびサイズを維持するために、ニットアッパー１０６よりも延性が低くてもよい。
【００６６】
サイズの増減を制限する必要があり、開口部の形状を維持することが望まれる開口部の例には、履物物品のつま先領域１２８の近位の開口部が含まれ得る。例えば、つま先領域１２８の近位の開口部のサイズおよび形状が変化し得る量を制限することは、そのような開口部を介して、ユーザのつま先がアッパー１０６を通って履物から出ることを防ぐために望ましい場合がある。
【００６７】
いくつかの実施形態では、開口部のそれぞれに適用されるエッジパイピング１４６は、同じ引張強度、延性、および弾性特性を有し得る。しかし、開口部の周囲の少なくとも一部を形成するニットアッパー１０６に設けられたエッジパイピング１４６について、引張強度、延性、および弾性特性のいずれか１つまたは組み合わせを変えることができる。上部に形成された開口部のエッジパイピング１４６の引張強度、延性、および弾性特性のうちの１つまたは複数を変化させることは、開口部で発生する可能性のある歪みの量を制御するのに有用であり得る。
【００６８】
さらに、アッパー１０６に形成された開口部のサイズおよび形状の変化を防ぐことが望ましい場合があり、アッパー１０６の特定の開口部がサイズおよび形状の変更を可能にすることも望ましい場合もある。例えば、足首開口部１３６の場合、足首開口部１３６のサイズを拡大し、形状を変化させて、足を履物物品に容易に挿入できるようにすることが望ましい場合がある。
【００６９】
しかしながら、足首開口部１３６がユーザの足首にフィットを提供できるように、足首開口部１３６が拡張後に収縮することを確実にすることも重要である。さらに、足首開口部１３６を囲む周囲を形成するニットアッパー１０６のエッジは、劣化しやすい可能性がある。したがって、足首開口部１３６を囲む周囲を形成するニットアッパー１０６のエッジを保護することは、履物物品の寿命を改善するために重要であり得る。
【００７０】
したがって、足首開口部１３６の伸縮を可能にし、足首開口部１３６を取り巻く周囲を形成するニットアッパー１０６のエッジの劣化を防ぐために、足首開口部１３６にリブ付きエッジ（図示せず）を設けてもよい。リブ付き縁取りは、リブ付き縁取りを引っ張るために力を加えるとリブ付き縁取りを実質的に引き伸ばし、次にリブ付き縁取りを引っ張るために加えられた力の適用が減少すると収縮する弾性特性を有し得る。リブ付き縁取りは、少なくとも一例では、足首開口部の周囲にカフを形成してもよい。
【００７１】
さらに、いくつかの例では、足首開口部１３６を囲む周囲は、足首開口部１３６を囲む周囲の操作を支援するためにそこに取り付けられた１つまたは複数の触覚点１５２、１５４を含んでもよい。１つ以上の触覚点１５２、１５４は、例えば、足首開口部１３６の周囲に取り付けられたタブまたはループであってもよい。１つ以上の触覚点１５２、１５４は、縫い付け、接着、足首開口１３６の周囲に直接成形される任意の１つまたは組み合わせ、および他の締結装置を介して足首開口１３６の周囲に取り付けられ得る。
【００７２】
ニットアッパー１０６を含む履物物品の足首開口部１３６の周囲に取り付けられている複数のタブまたはループは、ユーザがニットアッパーを含む履物物品を着用しやすくすることができる。ニットアッパー１０６の柔軟で弾性のある特性により、ユーザが履物物品に足を入れているときに、ニットアッパー１０６がユーザの足の周りに締め付けられ得る。しかしながら、複数の触覚点１５２、１５４（例えば、タブおよびループ）を含めることにより、ユーザは、履物デバイスのニットアッパー１０６を自分の足でより簡単に引くことができる。
【００７３】
第１の触覚点１５４は、足首開口部の周囲の前部を画定するニットアッパー１０６の一部に取り付けられ、第２の触覚点１５２は、足首開口部１３６の第１の触覚点の反対側であり、足首開口部の周囲を画定するニットアッパー１０６の一部に取り付けられ得る。具体的には、第２の触覚点１５２は、ヒールストラップ１３２に取り付けられてもよい。第１の触覚点１５４および第２の触覚点１５２は、足首開口部１３６のサイズを拡張するために、足首開口部１３６の周囲を画定するニットアッパー１０６の部分の容易な操作を可能にし得る。さらに、ニットアッパー１０６のヒールストラップ１３２に取り付けられ得る第２の触覚点１５２は、履物物品に足を配置したユーザのヒール上でニットアッパー１０６を引っ張ることをより容易にし得る。足首開口部１３６の周囲を画定するニットアッパー１０６の部分に触覚点１５２、１５４を取り付けるための、縫い付け、接着、音波溶接、および他の取り付け手段のいずれか１つまたは組み合わせを使用することができる。
【００７４】
上記の特徴のいずれか１つまたは組み合わせに加えて、またはその代わりに、履物物品は、コード構造を含むレーシングシステムをさらに含んでもよく、コード構造は、履物物品の使用者の足へのフィットをさらに改善するのに有益である。少なくとも１つの実施形態では、コード構造は、互いに連動する多数のコードセクションから形成されてもよく、コードセクションの少なくとも１つは、ループを介して別のコードセクションと連動してもよい。互いにかみ合うコードセクションを含む紐は、比較的厚いストラップが内側コードセクション、または他の比較的厚いストラップに直接かみ合う他のレーシングシステムのアプローチと比較して、有利であり得る。具体的には、コードが他のコードとインターロックするジャンクションは、比較的太いストラップが他の比較的太いストラップと直接インターロックするか、比較的太いストラップがコードと直接インターロックするレーシングシステムに比べて調整が容易である。
【００７５】
履物物品のレーシングシステムのコードセクションは、例えば、ストラップコードセクション２０２、２０４、２０６、３０２、３０４、３０６、ヒールコードセクション２１２、２１４、および内側コードセクション２１０を含むことができる。ストラップコードセクションは、ストラップの上部に配置されているコードを指していることに注意すべきである。これらのストラップコードセクションは、靴レーシングシステムの一部としてストラップに取り付けられている履物物品のストラップとは別のコンポーネントである。各ストラップコードセクションは、ニットアッパーの内側部分に隣接する曲げられた端部を有してもよい。コードセクションに関するさらなる詳細は、本明細書の図２及び図３に記載されている。
【００７６】
レーシングシステムのコードセクションの少なくとも１つはトグル装置１２０を通過することができ、トグル装置１２０は、コード構造のコードセクションの位置を調整した後、コード構造を所定の位置に保持することができる。
【００７７】
例えば、トグル装置１２０は、コード構造を締め付け位置に締め付け、締め付け位置に保持することを可能にし得る。別の例では、トグル装置１２０は、コード構造を緩められた位置まで緩め、緩められた位置に保持することを可能にし得る。したがって、コード構造は、ユーザに対して履物物品がフィットされた状態になるように調整するとともに、履物物品の調整されたフィット状態を維持することを可能にし得る。具体的には、コード構造は、ニットアッパー１０６の内側部分１０８を横断するコードセクションを含むことができ、コード構造は、ループして内側部分１０８を横断するコードセクションとインターロックする１つ以上の別個のコードセクションをさらに含むことができる。ニットアッパー１０６は、その後、ニットアッパーの内側部分１０８から離れた履物物品の領域に固定される。
【００７８】
例えば、ストラップ１１０のうちの１つ以上は、ストラップに取り付けられたコードセクションを含むことができ、コードセクションと連結してニットアッパー１０８の内側部分を越えて交差した状態を形成する。追加または代替として、コード構造は、ニットアッパー１０６の足首領域１２６に取り付けられたコードセクションを含むことができ、足首領域１２６に取り付けられ、ニットアッパーの内側部分１０８を横切るコードセクションは、コードセクションの一部と連動するようにループする。
【００７９】
追加的または代替的に、足首領域１２６に取り付けられたコードセクションは、身体の内側部分１０８を横断するコードセクション上を通過するように配置されてもよい。そのような例では、ニットアッパーの足首領域１２６に取り付けられたコードセクションは、２つのコードセクションが互いに連動するようにループされる間の位置でニットアッパー１０８に取り付けられてもよい。ニットアッパー１０６の足首領域１２６に取り付けられたコードセクションは、ニットアッパー１０６の足首領域１２８に取り付けられたコードセクションが、ニットアッパー１０６の内側部分と履物物品のソールとの交差部を形成し、コードセクションを通過する間の位置で、ニットアッパー１０６にさらに取り付けられてもよい。
【００８０】
さらになお、コード構造は、ニットアッパー１０６の足首領域１２６の外側部分に取り付けられ、履物物品のヒールストラップ１３２の周りに巻き付く別のコードセクションを含んでもよく、それは、履物物品の反対側のニットアッパー１０６の足首領域１２６の外側部分にさらに取り付けられる。コード構造に関するさらなる詳細は、図２に関連して説明され得る。
【００８１】
図２を参照すると、本開示の少なくとも１つの例による履物物品２００の左側面図が示されている。図２に示すように、履物物品のコード構造を含むレーシングシステムは、第１ストラップコードセクション２０２、第２ストラップコードセクション２０４、および第３ストラップコードセクション２０６を含む１つ以上のストラップコードセクションを含み得る。したがって、各ストラップ１１０は、その上に取り付けられたストラップコードセクションを含むことができ、各ストラップ１１０では、ストラップコードセクションはストラップよりも狭く、ストラップの外側表面に対して捕捉される。コード構造は、内側コードセクション２１０、アンクルコードセクション２０８、および１つまたは複数のヒールコードセクション２１２、２１４をさらに備えてもよい。複数のヒールコードセクションが存在し得る例では、ヒールコードセクションは互いに実質的に平行である。示された履物物品は、コード構造を含むレーシングシステムを含むが、他の実施形態では、履物物品はレーシングシステムを含まなくてもよく、代わりにプルオン型の履物物品であってもよいことに留意されたい。
【００８２】
アンクルコードセクション２０８は、１つまたは複数のヒールコードセクション２１２、２１４から分離されていてもよいが、少なくとも一例では、アンクルコードセクション２０８は、ヒールコードセクション２１２の一部であってもよいことに留意されたい。アンクルコードセクション２０８がヒールコードセクション２１２の一部である例では、アンクルコードセクション２０８およびヒールコードセクション２１２は、同じ単一のコードによって形成される。したがって、アンクルコードセクション２０８がヒールコードセクション２１２の一部である場合、単一片のアンクルコードおよびヒールコードセクションの第１の端部は、履物物品の第１の側に固定され、ループを形成しており、これは、履物物品の第１の側の足首開口部の近位の内側コードセクション２１０と連結する。次いで、単一片のアンクルコードおよびヒールコードセクションは、ヒールストラップ１３２の外面の上部でさらに巻き付き、ループを形成し、これは、第１の側の反対側にある履物物品の第２の側の足首開口部の近位の内側コードセクション２１０と相互係止する。第１の端部の反対側にある単一片のアンクルコードおよびヒールコードセクションの第２の端部は、履物物品の第２の側にさらに固定される。
【００８３】
さらに、レーシングシステムは、履物物品の縦軸について対称であってもよい。図３には図２に示される履物物品の反対側を示しており、履物物品の反対側のストラップに対応する追加のストラップコードセクションと、履物物品の反対側のヒールに対応するヒールコードセクションがあってもよい。図３に示された靴レーシングシステムの部分について、履物物品の反対側の靴レーシングシステムの対応する部分を注目した場合、図２に示されるレーシングシステムの部分に関して説明された特徴のいずれか１つまたは組み合わせを含むことができる。
【００８４】
図２に示されるように、少なくとも１つの例では、１つ以上のコードセクションは、履物物品のソール１０２に固定されたコードの両方の自由端を有し得る。図２に示すように、ソール１０２は、ソール１０２の他の材料とは異なる材料を含むアーチ部１０５を含むことができる。例えば、アーチ部１０５は、緩衝目的のためにゲル材料を含んでもよい。他の例では、ソール１０２のアーチ部１０５は、ソール１０２に構造を追加するために、ソールの残りの部分よりも圧縮性が低い材料を含んでもよい。加えて、ソール１０２は、例えばゴムなどの耐久性材料を含むアウトソール１０７を含むことができる。
【００８５】
少なくとも一例では、ミッドソール１０９をアウトソール１０７に固定することができる。さらに、ミッドソール１０９は、少なくとも一例では、アウトソール１０７とは異なる材料を含むことができる。ミッドソール１０９がアウトソール１０７とは異なる材料を含む例では、ミッドソール１０９は、アウトソール１０７よりも柔軟な材料を含んでもよい。例えば、ミッドソール１０９は、アウトソール１０７の材料よりも柔軟なゴムを含んでもよい。あるいは、少なくとも１つの例では、ミッドソール１０９は複数の材料を含むことができる。例えば、ミッドソール１０９は、発泡体およびゴム材料を含むことができ、ゴム材料は発泡体の外面を覆うことができる。少なくとも１つの例では、ミッドソール１０９は、つま先の少なくとも一部にわたってさらに延びて、つま先バンパー１５０を形成することができる。
【００８６】
コードセクションのコードの自由端を履物物品の靴底（例えば、ストローベル）に固定することは、履物物品の上部からコードが外れるのを防ぐのに役立ち得る。例えば、ストラップコードセクションの自由端がループを形成する端部の反対側にあるストラップコードセクションの自由端は、履物物品のソール１０２に固定されてもよい。履物物品のソール１０２とニットアッパー１０６との間にコードの自由端を配置することにより、履物物品の靴底にコードを固定することができ、１つ以上のコードをソールに接着して縫い付けることでコードを固定できる。
【００８７】
しかしながら、少なくとも一例では、履物物品の各側のストラップコードセクションが別個の部品ではなく、対向するストラップの各対のストラップコードセクションは、単一のコードを介して形成されてもよい。すなわち、いくつかの例では、履物物品の縦軸の周りに互いに向かい合って配置された履物物品のストラップの各対は、１片のコードを共有して、対のストラップのそれぞれの上にストラップコードセクションを形成し得る。そのような例では、単一部品のコードの一部は、履物物品の靴底を通って、または靴底の下に設けられてもよい。
【００８８】
履物物品のストラップ１１０またはヒールストラップ１３２に捕捉されたコードセクションは頻繁に引っ張られ、ニットアッパーに取り付けられてもよい。ストラップコードセクション２０２、２０４、２０６、アンクルコードセクション２０８、およびヒールコードセクション２１２、２１４は頻繁に引っ張られる可能性があるため、ニットアッパー１０６は相当な量の引っ張り力を受ける可能性がある。
【００８９】
しかしながら、コードセクションの長さの大部分をコードセクション上に配置されたオーバーレイを介してニットアッパー１０６に捕捉することにより、ニットアッパー１０６に加えられる引っ張り力を分散させることができる。ニットアッパーに加えられる力を分散させることは、例えば、ニットアッパーの裂けを防ぐのに有利となりうる。
【００９０】
少なくとも１つの例では、ストラップコードセクション２０２、２０４、２０６のそれぞれのほぼ全長は、ニットアッパー１０６の外面に対して捕捉されてもよい。そのため、ストラップコードセクション２０２、２０４、２０６のそれぞれの長さに対して短いループのみ、および開口部２２４内に位置するコードセクションのみがニットアッパー１０６に捕捉されない。ストラップコードセクションの長さとは、ストラップ上でループ位置にあるストラップコードセクションの長さを指すことに留意されたい。
【００９１】
ニットアッパー１０６の外面に対して捕捉される各ストラップコードセクションの長さの大部分は、各ストラップコードセクションの長さの約８０％であり、各ストラップコードセクションの全長よりも短い。したがって、ループが、ニットアッパー１０６の外面に対して捕捉されないコードセクションの一部によって形成されるループは、ストラップコードセクションの長さの２０％以下となりうる。ストラップコードセクション２０２、２０４、２０６のそれぞれのループは、ニットアッパー１０８の内側部分に隣接していてもよい。アンクルコードセクションおよびヒールコードセクション２１２、２１４に関して、これらのコードセクションのほぼ全長は、ニットアッパー１０６の外面に対して保持されてもよい。
【００９２】
追加または代替として、コードは、コードの上に配置された１つまたは複数のオーバーレイを介してニットアッパーの所定の位置に保持されてもよい。１つ以上のオーバーレイは、ストラップオーバーレイ１４４およびヒールストラップオーバーレイ１４３のいずれか１つまたは組み合わせを含むことができる。例えば、コードは、コードの上部に配置されたオーバーレイを介してニットアッパー１０６に対して適所に保持されてもよい。ニットアッパーの内側部分に隣接する端部でコードをニットアッパーに縫い付けることができる例では、オーバーレイは、コードを適所に保持するために使用される縫い合わせを有機物から保護するのにさらに役立ち得る。さらにオーバーレイは、ニットアッパーに加えられる力を分散させることにも役立つため、ニットアッパーを損傷から保護することができる。
【００９３】
さらに、コードを所定の位置に保持するのにさらに役立つように、オーバーレイ上に追加の縫いを提供することができる。例えば、ストラップオーバーレイ１４４、ストラップコード、およびニットアッパー１０６を一緒に縫うブロック縫い２２０が提供されてもよい。そのようなブロック縫い２２０は、アッパー１０６の内側部分に近位のストラップコードの端部にのみ含まれてもよい。少なくとも１つの例では、２つのブロック縫いのブロックがある。
【００９４】
ブロック縫い２２０がストラップコードセクション２０２、２０４、２０６およびアンクルコードセクション２０８の各ストラップオーバーレイ上に提供され得る例では、ブロック縫い２２０は、これらのコードセクションが内側コードセクション２１０とインターロックする可能性がある場所に隣接する場所で、ニットアッパーの内側部分の近位に配置され得る。ニットアッパーの内側部分の近位にブロック縫い２２０を配置すると、構造の歩行および締め付けによる力が加えられる可能性がある場所の近くにおいて、これらのコードセクションが履物物品のニットの上部から外れないようにするために、追加のサポートを提供するのに役立つ。オーバーレイ上のブロック縫い２２０は、一例では、オーバーレイ、コードセクションのコード、およびニットアッパーを縫うことができる。
【００９５】
少なくとも１つの例では、レーシングシステムのコードの上部に配置されたオーバーレイに１つ以上のカットアウト２２４を設けることができる。したがって、これらの１つ以上のカットアウトは、したがって、それぞれのオーバーレイの真下に配置されたコードを露出するコード露出カットアウトであり得る。少なくとも一例では、コード露出カットアウトを介して露出されたコードの一部は、ニットアッパーに直接取り付けられていなくてもよい。
【００９６】
いくつかの例では、１つ以上のカットアウト２２４を設けて、オーバーレイの特定の部分の容量を増やし、レーシングシステムの残りの部分よりも厚いレーシングシステムの部分を保持することができる。オーバーレイに形成されたカットアウト２２４は、例えば、ほぼ楕円形のカットアウト２２４ａであってもよい。ただし、他の形状も可能である。例えば、１つ以上のオーバーレイに形成されたカットアウト２２４の少なくともいくつかは、例えば、ほぼ半円形のカットアウト２２４ｂであってもよい。１つ以上のオーバーレイのそのようなほぼ半円形のカットアウト２２４ｂは、例えば、履物物品のニットアッパー１０６とソール１０２との接合部に配置されてもよい。
【００９７】
少なくとも１つの実施形態では、レーシングシステムは、２本のコードが重なる可能性がある接合部を含むことができる。したがって、２本のコードが重なる場所では、履物物品上に単一のコードのみにより形成されているレーシングシステムおける他の部分よりも厚いレーシングシステムの一部が作成される。追加または代替として、レーシングシステムの厚化は、コードセクションの残りの部分と比較してコードセクション自体の直径が増加することによって生じ得る。したがって、レーシングシステムの他の部分と比較してより厚いレーシングシステムの部分を収容するために、肉厚が生じる場所にオーバーレイのカットアウト２２４を設けることができる。例えば、レーシングシステムのコードが重なる可能性のある場所、またはコードセクションの直径が増加する可能性のある場所で、オーバーレイにカットアウト２２４を設けることができる。
【００９８】
レーシングシステムが厚くなる可能性がある特定の部分でオーバーレイの容量を増やすことは、レーシングシステムのより厚い部分がユーザの足を強く押しつけないようにするのに有益な場合がある。具体的には、ニットのアッパーは柔らかく、オーバーレイが厚くなる部分においてオーバーレイの容量を増やすことなく、レーシングシステムの薄い部分と厚い部分の両方をニットのアッパーに対して保持し、きつい状態のフィットを提供する場合、レーシングシステムの肥厚が発生する部分はニットアッパーを通して感じられ、ユーザに不快感を引き起こす可能性がある。加えて、オーバーレイの開口部２２４（すなわち切り欠き）を介してオーバーレイの容量を増やすことにより、オーバーレイの分割を回避することができる。
【００９９】
さらに、少なくとも１つの例では、オーバーレイに形成された開口部２２４は、履物物品のソールとニットアッパーの界面、または頻繁に屈曲することが予め決められたオーバーレイの特定の部分に形成され得る。例えば、オーバーレイのそのような特定の部分は、履物物品が使用されている状態でのユーザの足の曲率またはユーザの足の動きのために頻繁に曲げられる場合がある。オーバーレイにおける開口部２２４のそのような配置は、例えば、オーバーレイが分割するのを防ぐために、オーバーレイに柔軟性を追加し得る。
【０１００】
さらに、少なくとも１つの例では、タブをニットアッパーに縫い付けることができ、少なくとも２列のステッチがタブをニットアッパーに取り付け、２列のステッチ、ニットアッパー、およびタブの間に開口部を形成し、また、内側コード部２１０は、タブとニットアッパーとの間に形成された開口部を通過してもよい。
【０１０１】
上記の方法のいずれかまたは組み合わせを使用してコード構造のコードをニットアッパーに取り付けることにより、コードを所定の位置に保持しながら、ニットアッパーの損傷を防ぐことができる。
【０１０２】
コード構造自体のコードについては、コードは、紐、より糸、糸、ロープ、ケーブル、編組または撚り合わせた材料のストランド、および／または他のコードのような構造を含んでもよい。
さらに、コード形状は、ユーザの不快感を防ぐために、太すぎないように特別に選択することができる。特に、履物物品はニットアッパーを含み、コードアッパーはニットアッパーの外側で利用され、ニットアッパーをユーザの足に保持するために締め付けられるため、閾値の厚さ未満のコードは、コード構造を締めるときにコードがユーザに不快感を与えないように選択すべきである。ニットのアッパーは柔らかくて柔軟であるため、コードをニットのアッパーを変形させる可能性があり、コードをニットのアッパー上で締めると、感触を感じることがある。したがって、ユーザの足の上でコード構造を締めるときのユーザの不快感を防ぐために、コード構造に対して閾値厚さ未満のコードが選択されてもよい。
【０１０３】
いくつかの例では、コード構造の各セクションに対して選択されたコードの厚さは同じ厚さである。しかし、他の例では、コード構造の異なるコードセクションは、コードが異なる厚さであるものとして選択される場合がある。例えば、ヒールコードセクション２１２、２１４は、コードセクションを締め付けるときに、使用者の足の上で締め付けられない場合がある。したがって、いくつかの例では、履物物品の残りのセクション用に選択されたコードの厚さよりも大きい厚さを有するヒールコードセクション２１２、２１４のコードを選択することができる。
【０１０４】
図２のコードセクションの説明は、履物物品の反対側の対応するコードセクションに適用されてもよく、例えば図１，３，および６に示されているように、履物物品の反対側のコードセクションにようにできる。例えば、図２に関連して説明されるように、第１のストラップコードセクション２０２、第２のストラップコードセクション２０４、および第３のストラップコードセクションが提供され、図３に説明されるように、第４ストラップコードセクション３０２、第５ストラップコードセクション３０４、および第６ストラップコードセクション３０６に適用され得る。
【０１０５】
コード構造は、インターロックループで互いにインターロックするコードセクションを含んでもよい。コード構造は、複数の十字を形成する内側コードセクション２１０を含むことができ、内側コードセクション２１０の部分は、ループを介して他のコードセクションと連結することができる。内側コードセクション２１０は、位置決め装置２１８を通過することができ、ここで、位置決め装置２１８は、内側コードセクション２１０を取り囲み、それに結合することができる。少なくとも１つの例では、位置決め装置２１８は、ビーズの形に類似していてもよい。内側コード部２１０が通過する位置決め装置２１８は、内側コード部２１０が中央にあることを確実にするのに役立ち得る。位置決め装置２１８は、履物のつま先に最も近い内側コードセクション２１０のセクションに位置決めされてもよい。
【０１０６】
内側コード部２１０は、ニットアッパーの内側部分上に十字を形成してもよく、内側コードセクション２１０は、内側コード部２１０の自由端を引っ張ることによってニットアッパーの内側部分上に締め付けられてもよい。ここで、内側コードセクション２１０の自由端は、プル２１６を含むコードセクションの端である。さらに、内側コード部の自由端は、コード構造の別のコード部と連動しないループを形成する内側コード部の端部であってもよい。少なくとも１つの例では、内側コードセクション２１０の自由端は、内側コードセクション２１０の端部に取り付けられたプル２１６を含むことができる。内側コードセクション２１０の端部に取り付けられたプル２１６は、溝付き材料を含むことができ、内側コードセクション２１０の自由端を引っ張って内側コードセクション２１０を締めるときにプル２１６を握りやすくする。プル２１６は、プル２１６の片側に湾曲したプロファイルを含むことができ、湾曲したプロファイルを含むプルの側は、プル２１６の底部とすることができる。プル２１６の底部の湾曲した輪郭は、プル２１６が平らに横たえるか、または内側コードセクションに引っ掛かることを可能にし得る。加えて、プル２１６の底部の湾曲したプロファイルは、プル２１６を使用して内側コードセクション２１０を締め付けるときに、プル２１６を保持することをより快適にし得る。
【０１０７】
プル２１６が引っ張られて内側コードセクション２１０を締めると、内側コードセクション２１０とインターロックされたコードセクションは、内側コードセクション２１０によって履物物品の中心に向かって引っ張られ得る。例えば、内側コードセクション２１０を締めるとき、内側コードセクション２１０とインターロックされ得るストラップコードセクションは、履物物品の中心に向かって引っ張られ得る状態となり、ストラップコードセクションを履物物品の中心に向かって引っ張ることにより、ストラップを履物物品の中心に向かって引っ張ることができる。さらに、少なくとも１つの例では、プル２１６はトグルとしても機能し得る。
【０１０８】
いくつかの例では、履物物品の各ストラップはストラップコードセクションを含んでもよい。しかし、他の例では、履物物品のストラップの一部またはすべてがストラップコードセクションを含んでもよい。ストラップがストラップコードセクションを含む例では、ストラップコードセクションは、ストラップを形成している靴のニットアッパーに取り付けられてもよい。例えば、ストラップコードセクションは、靴のニットアッパーの上部に取り付けられてもよい。靴のニット上部に対してストラップコードセクションを保持するために、縫製、接着、オーバーレイ、および他の取り付け装置のいずれかまたは組み合わせを使用してもよい。
【０１０９】
図２の履物物品に示すように、第１のストラップコードセクション２０２、第２のストラップコードセクション２０４、および第３のストラップコードセクション２０６はそれぞれ、履物物品のストラップ上に配置することができる。第１のストラップコードセクション２０２、第２のストラップコードセクション２０４、および第３のストラップコードセクション２０６のうちの１つ以上は、これらのストラップコードセクションがそれぞれループを形成し、内側コード部２１０と連動して、履物のニットアッパーにそれぞれ取り付けられ得る。特に、ストラップコードセクション２０２、２０４、２０６のうちの１つ以上は、履物物品の内側部分に案内ループを形成してもよく、この案内ループは履物物品の内側コードセクション２１０と連動してもよい。同様に、少なくとも一例では、アンクルコードセクション２０８は、履物物品の内側部分に誘導ループを形成してもよく、履物物品の内側コードセクション２１０は、アンクルコードセクション２０８の誘導ループと連動してもよい。そして、ストラップコードセクション２０２、２０４、２０６はそれぞれ、上部ニットにさらに取り付けられ、対応するストラップを形成する。
【０１１０】
したがって、ストラップコードセクション２０２、２０４、２０６のそれぞれを内側ストラップコードセクション２１０と連動させることにより、ストラップコードセクション２０２、２０４、２０６のそれぞれが履物物品のストラップに取り付けられ、内側コードセクションが２１０は、内側コードセクション２１０の自由端を引っ張ることにより、履物物品の中心に向かって締め付けられる。内側コードセクション２１０を連結するストラップコードセクションのループは、ストラップコードセクション２０２、２０４、２０６も履物物品の中心に向かって引っ張られる。
【０１１１】
ストラップコードセクション２０２、２０４、２０６が履物物品の対応するストラップに取り付けられるため、これらのストラップは履物物品の中心に向かって引っ張られ得る。したがって、コード構造の内側コードセクションを締めることにより、履物物品のストラップを履物物品の中心に向かって引っ張り、履物物品を使用者の足の上に締め付けることができる。同様に、内側コードセクション２１０が緩められると、ストラップコードセクション２０２、２０４、２０６は履物物品の中心から離れるように移動させることができ、使用者の足に対して、履物物品のフィット感をゆるめることができる。内側コード部２１０を調整した後、内側コード部２１０が通過するトグル１２０を利用して、内側コード部２１０を所定の位置に保持することができる。
【０１１２】
追加または代替として、オーバーレイを使用して、ストラップコードセクション２０２、２０４、２０６を、履物物品のニットアッパーの一部に取り付けて、ストラップを形成することができる。例えば、ストラップコードセクションがニットアッパーと透明材料オーバーレイとの間に配置されるように、オーバーレイをストラップコードの上に配置して、ストラップコードセクションを所定の位置に保持するのを助けることができる。
【０１１３】
さらに、オーバーレイは、履物物品のストラップに追加の支持を提供することができ、これは履物物品の全体的な横方向の支持の改善に有益であり得る。オーバーレイは、ＴＰＵやＰＵなどのプラスチックオーバーレイとすることができる。少なくとも一例では、オーバーレイは、例えば、ニットアッパーへの直接成形、接着、縫製、および他の任意の固定装置のいずれかまたは組み合わせを介して、履物物品のニットアッパーに固定され得る。少なくとも１つの例では、１つ以上のブロックステッチ２２０を使用して、オーバーレイを履物物品のニットアッパーに留め、コードセクションをオーバーレイとニットのアッパーの間に配置し、コードセクションを履物物品のニットアッパーに留める場合がある。
【０１１４】
ストラップコードセクション２０２、２０４、２０６および内側コードセクション２１０に加えて、履物物品のコード構造は、アンクルコードセクション２０８をさらに含んでもよい。アンクルコードセクション２０８は、ブロックステッチングおよび透明材料オーバーレイの一方または両方を介して履物物品のニットアッパーの外側足首領域に取り付けられてもよい。例えば、アンクルコードセクション２０８は、横足首オーバーレイ１４２を介して履物物品のニットアッパーに取り付けられてもよい。
【０１１５】
外側足首オーバーレイ１４２は開口部２２４を含むことができ、外側足首オーバーレイ１４２の開口部２２４では、アンクルコードセクション２０８は内側コードセクション２１０と重なり合うことができ、内側コードセクション２１０は、アンクルコードセクション２０８との第１のインターロックループを形成し得る。さらに、アンクルコードセクション２０８は、アンクルコードセクション２０８の端部で内側コードセクション２１０と第２のインターロックループ２２６を形成することができ、第２のインターロックループ２２６は、内側コードセクション２１０のガイドとして機能することができ、第１のインターロックループは、内側コードセクション２１０の締め付け時に、アッパーの足首領域を履物物品の中心に向かって引っ張らせることができる。したがって、少なくとも１つの例では、内側コードセクション２１０の締め付けにより、足首外側オーバーレイ１４２が履物物品の中心に向かって引っ張られる可能性がある。外側足首オーバーレイ１４２は、履物物品のニットアッパーに縫い付けられ、接着された任意の１つまたは組み合わせであってもよい。例えば、外側足首オーバーレイは、外側足首オーバーレイ１４２の周囲全体に沿ってニットアッパーに縫い付けられてもよい。これは、外側足首オーバーレイ１４２に加えられる力を分散させることによりニットアッパーの裂けを防止し、アンクルコードセクション２０８およびヒールコードセクション２１２、２１４がニットアッパーに固定されることを確実にするために役立つ。さらに、内側コード部２１０を締めることで、ヒールコード部２１２が足首開口部１３６を締めることができる。
【０１１６】
外側足首オーバーレイ１４２は、Ｙ字型セクション２２６を含むことができる。外側足首オーバーレイ１４２のＹ字型セクション２２６は、例えば、上部アンクルコードセクション２０８およびヒールコードセクション２１２、２１４を位置決めするためのガイドを提供し得る。さらに、外側足首オーバーレイ１４２のＹ字型セクション２２６は、外側足首オーバーレイ１４２の残りの部分よりも厚くてもよい外側足首オーバーレイ１４２の領域であってもよい。このＹ字形領域２２６が外側足首オーバーレイ１４２の残りの部分よりも厚い場合がある例では、Ｙ字形領域２２６は、横方向足首オーバーレイ１４２の残りによって追加される横方向支持と比較して、Ｙ字形領域２２６で追加の横方向足首支持を提供するように機能し得る。ここで、外側足首オーバーレイ１４２の残りは、Ｙ型領域２２６を除く外側足首オーバーレイ１４２の領域である。外側足首オーバーレイ１４２を介して、特に外側足首オーバーレイ１４２のＹ字型領域２２６により、外側足首オーバーレイ１４２の残りの部分よりも多くのサポートと、様々な量の支持を提供するため、履物物品の完全な横方向の曲げを防止しながら、ある程度の横方向の柔軟性を可能にするために有利となる。さらに、少なくとも１つの例では、外側足首オーバーレイ１４２のＹ字形領域２２６は、アンクルコードセクション２０８、ヒールコードセクション２１２、およびヒールコードセクション２１４のうちの１つまたは複数をガイドすることができる。しかし、他の例では、Ｙ字型領域２２６は、アンクルコードセクション２０８、ヒールコードセクション２１２、およびヒールコードセクション２１４のうちの１つまたは複数を特にガイドしなくてもよく、横足首オーバーレイ１４２は、代わりに、単にアンクルコードセクション２０８、ヒールコードセクション２１２、およびヒールコードセクション２１４のうちの１つまたは複数が、履物物品のニットアッパーに接する。
【０１１７】
追加的または代替的に、コード構造は、１つまたは複数のヒールコードセクション２１２、２１４を含んでもよい。ヒールコードセクション２１２、２１４は、履物物品に追加の構造を提供するのに役立ち得る。ヒールコードセクション２１２、２１４は、ニットアッパーに取り付けられてもよい。例えば、ヒールコード部２１２、２１４は、ヒールコードセクション２１２、２１４をニットアッパーの上面に接着し、ヒールコードセクション２１２、２１４をニットの上面に縫い付けることのいずれか１つまたは組み合わせを介して取り付けることができ、ヒールコードセクション２１２、２１４をニットアッパーに取り付けるために、他の固定装置を利用することができる。追加的または代替的に、ヒールコードセクション２１２、２１４は、透明材料オーバーレイ（例えば、ＴＰＵ）の間に配置されてもよい。ヒールコードセクション２１２、２１４は、履物物品の上部の足首領域の第１の外側部分に取り付けられ、履物物品のヒール（例えば、ヒールストラップ１３２）の周りに巻き付けられてもよく、足首領域の第１の外側部分とは反対側の履物物品の側にある履物物品の上部の足首領域の第２の外側部分に取り付ける。
【０１１８】
図３を参照すると、履物物品３００の第２の例の右側面図が示されている。履物物品３００は、第４ストラップコードセクション３０２、第５ストラップコードセクション３０４、および第６ストラップコードセクション３０６を含む。図２の説明で示したように、第４ストラップコードセクション３０２、第５ストラップコードセクション３０４、および第６ストラップコードセクション３０６は、ストラップ上のストラップコードセクションであり、これらはそれぞれ、第１のストラップコードセクション２０２、第２のストラップコードセクション２０４、および第３のストラップコードセクション２０６からニットアッパーの内側部分の反対側にある。別の言い方をすれば、ストラップコードセクション２０２、２０４、および２０６は、それぞれストラップコードセクション３０２、３０４、および３０６の向かいにある。ストラップコードセクション２０２、２０４、２０６に適用された同様の説明は、ストラップコードセクション３０２、３０４、３０６に適用されてもよい。例えば、ストラップコードセクション２０２、２０４、２０６からの同様の取り付け手段およびインターロック記述は、ストラップコードセクション３０２、３０４、３０６に適用され得る。
【０１１９】
図４は、本開示の少なくとも１つの実施形態による、履物物品の正面斜視図４００を示す。履物物品の正面斜視図４００は、ストラップコードセクション２０２、２０４、２０６およびアンクルコードセクション２０８を備えた内側コードセクション２１０のインターロックループをより詳細に示す。特に、図４に示される正面斜視図４００を介して、内側コードセクション２１０、ストラップコードセクション２０２、２０４、２０６、およびアンクルコードセクション２０８の間の接合部をより容易に見ることができる。ストラップコードセクション２０２、２０４、２０６が内側コードセクション２１０とインターロックする接合部を見やすくするために、正面斜視図４００に示されている履物物品のすべての構成要素にラベルが付けられているわけではないことに留意されたい。
【０１２０】
図５は、少なくとも一例による履物物品の後端面図５００を示す。図５に示すように、触覚点１５２は、ヒールストラップオーバーレイ１４３、ヒールコードセクション２１２、２１４、およびヒールストラップ１３２の上部に配置され、ヒールストラップ１３２はニットアッパー１０６の一部である。したがって、ヒールコードセクション２１２、２１４は、ヒールストラップ１３２とヒールストラップオーバーレイ１４３との間に配置され、触覚点１５２は、ヒールストラップオーバーレイ１４３の上部に配置される。少なくとも１つの例では、触覚点１５２は、ヒールストラップオーバーレイ１４３とヒールストラップ１３２の両方を通る縫い目を介して履物に固定されてもよい。触覚点１５２を固定するこのような方法は、例えば、ヒールストラップオーバーレイ１４３と履物物品との間の接続を有利に強化することができる。
しかしながら、少なくとも１つの例では、触覚点１５２は、接着などの別の固定手段を介して履物物品に取り付けられてもよい。さらに、図５に示すように、アッパー１０６は、フットベッド１３０とソール１０２との間に配置することができ、ソール１０２はさらにアッパー１０６の真下に配置される。
【０１２１】
図６Ａおよび６Ｂは、本開示の少なくとも１つの例による履物物品の背面斜視図６００、６０２を示す。履物物品の背面斜視図６００は、フットベッド１３０が履物物品に結合されている場合について、見やすくするためのものである。履物物品の背面斜視図６００は、フットベッド１３０が履物物品に結合されていない場合について、見やすくするためのものとしてもよい。
【０１２２】
少なくとも一例では、フットベッド１３０は、履物物品のソール１０２と一体的に形成されてもよい。したがって、例示の履物物品がソール１０２と一体に形成されたフットベッド１３０を含む例では、背面斜視図６０２は当てはまらない。しかし、他の例では、フットベッド１３０は取り外し可能なフットベッドであり、フットベッド１３０は、ソール１０２の頂部に形成された対応する受け部によって受けられ、その結果、フットベッド１３０は、ソール１０２の受け部にしっかりと保持され得る。したがって、例示の履物物品が取り外し可能なフットベッドであるフットベッド１３０を含む例では、背面斜視図６００および６０２の両方が当てはまり得る。
１つ以上の例では、フットベッド１３０は耐水性材料を含むことができる。
【０１２３】
フットベッド１３０は、履物物品のニットアッパーの内面１１１とソール１０２の上部との間に配置される。特に、ソール１０２の上部に形成された凹部など、受容部はソール１０２の受容部内にあってもよく、フットベッド１３０はソール１０２に結合されてもよい。
【０１２４】
さらに、フットベッド１３０がソール１０２に結合され得る場合、フットベッド１３０は、ソール１０２の上部と足受け開口部との間に配置され得る。ここで、足受け開口部は、フットベッド１３０の上部と履物物品の上部との間に形成される。
【０１２５】
フットベッド１３０は、フットベッド１３０の本体に対して隆起したフットベッド１３０の周囲に境界６０６を含むことができ、ソール１０２と連結されると、フットベッド１３０の境界６０６は上縁よりも上方に延び、履物物品１３０のフィット感を改善することができる。したがって、フットベッド１３０は、フットベッド１３０が履物物品に結合されたときに、履物物品の外側の一部を形成し得る。
【０１２６】
フットベッド１３０は、フットベッド１３０が履物物品に結合されるときに、フットベッド１３０の境界６０６の少なくとも一部と重なるリップを形成するフットウェア製品のソール１０２（例えば、ミッドソール１０９）の上縁において、少なくとも部分的に、フットウェア製品内に保持されてもよい。少なくとも一例では、ソール１０２の内面６０６（例えば、ミッドソール１０９の内面）は、フットベッド１３０の境界６０６の少なくとも一部と接触していてもよい。したがって、ソール１０２の上部は、ソール１０２の上部の残りの部分に対して隆起し、履物物品の周囲の周りにリップを形成する、ソール１０２の周囲の周りにリムを含む。したがって、ソール１０２の上部は、フットベッド１３０を受け入れるための受け入れ凹部を形成することができる。すなわち、ソール１０２の上部は、フットベッド１３０を受けるためのカップ型を形成してもよい。
【０１２７】
少なくとも一例では、フットベッド１３０の縁は、フットベッド１３０がソール１０２に結合されたときに、ソール１０２の縁の上方に延び、履物物品のヒール開口部１３４内に延びてもよい。加えて、履物物品のニットアッパーがフットベッド１３０と接触するようにフットベッド１３０のエッジを持ち上げることができ、ニットアッパーはフットベッド１３０を所定の位置に保持するのを助けることができる。
【０１２８】
さらなる例では、フットベッド１３０は、フットベッド１３０の本体によって受け入れられるフットインサートを備えてもよい。足挿入部に関するさらなる詳細は、図７Ａおよび図７Ｂに提供されている。
【０１２９】
フットベッドが取り外された例示の履物物品の背面斜視図６０２、図７Ａ〜図８に示されるように、ソール１０２の上部は、上述のようにフットベッド１３０の取り付け領域と嵌合する取り付け領域６０４を含む。特に、取り付け領域６０４は、履物物品のヒール取り付け領域であってもよい。さらに、背面斜視図６０２にも見られるように、アッパー１０６は、ソール１０２の上部に縫い付けられてもよい。少なくとも一例では、アッパー１０６は、製造中にソール１０２の上部を形成することになる別個の構成要素に縫い付けられてもよく、ソール１０２の上部を形成することになる上部および別個の構成要素材料は、靴底の残りの部分に接着されてもよい。例えば、ソール１０２の上部を形成する材料は、ミッドソール１０９の上部に接着されてもよい。さらに、少なくとも一例では、取り付け布地をミッドソールの内面に接着してもよく、ソール１０２の上部をこのような取り付け布地に縫い付けてもよい。
【０１３０】
図７Ａには、本開示の少なくとも１つの例によるフットベッド１３０の概略上面図７００が示されている。少なくとも一例では、フットベッド１３０は、１つまたは複数のフットサポートインサート７０４ａ、７０４ｂ、７０４ｃ、および本体７０６を備えてもよい。図７Ａに示すように、足部支持インサート７０４は、ソール支持部７０４ａ、第１のつま先支持部７０４ｂ、および第２のつま先支持部７０４ｃを含むことができる。ただし、他の構成も可能である。
【０１３１】
フットベッド１３０がフットサポートインサート７０４を含む例では、フットサポートインサート７０４は、履物物品の使用中にフットベッド１３０の上部と接触する可能性のあるユーザの足の一部とほぼ整列するように成形することができる。例えば、足部支持インサート７０４は、快適さを高めるために、使用中に使用者のつま先と整列することができる隆起領域７１４を含むことができる。フットベッド１３０のフットサポートインサート７０４は、ユーザの足に快適さとサポートを提供するように特に適合された材料を含むことができる。いくつかの例では、足部支持インサート７０４は、例えば、ゲル、発泡体、またはＰＵのうちの１つを含むことができる。
【０１３２】
少なくとも１つの例において、フットベッド１３０のフットサポートインサート７０４および本体７０６は、それぞれ第１の材料および第２の材料から形成され、第１の材料は第２の材料とは異なる。しかしながら、他の例では、フットサポートインサート７０４ａ、７０４ｂ、７０４ｃの材料は、本体７０６と互いに異なっていてもよい。例えば、ソールサポートインサート７０４ａは、本体７０６とは異なり、第１のトウサポート７０４ｂと第２のトウサポート７０４ｃとは異なる材料を含むことができる。このような素材のバリエーションにより、ユーザの快適さとサポートを向上させることができる。あるいは、１つまたは複数の例では、足部支持インサート７０４は、フットベッド１３０の本体７０６と同じ材料を含むことができる。
【０１３３】
さらに、点線のパターンで示されている足部支持インサート７０４のテクスチャーは、本体１０６のテクスチャーと異なっていてもよい。例えば、足部支持インサート７０４のテクスチャーは把持テクスチャーであってもよく、本体７０６のテクスチャーは足部サポートインサート７０４の把持テクスチャーよりも滑らかなテクスチャーであってもよい。テクスチャーのバリエーションは、フットベッド１３０を含む履物物品内において、ユーザの足の適切な位置を維持するのに有益に役立ち得る。さらに、１つ以上の例では、足部支持インサート７０４の材料は、防臭材料であってもよい。
【０１３４】
フットベッドの本体７０６は、例えば、ＰＵ、ＴＰＵ、またはＥＶＡのいずれかを含むことができる。一実施形態では、フットインサートをフットベッド１３０の本体７０６に接着することにより、フットインサートをフットベッド１３０の本体７０６に結合することができる。例えば、フットベッド１３０の本体７０６は、フットサポートインサート７０４を受け入れるための凹部を含むことができ、フットベッド１３０の本体７０６に形成された凹部のサイズおよび形状は、フットサポートインサート７０４のサイズおよび形状に対応する。フットサポートインサート７０４は、フットベッド１３０の本体７０６に形成された凹部にさらに接着されて、フットサポートインサート７０４とフットベッド１３０の本体７０６との間に強い結合を提供することができる。しかし、他の例では、足部支持インサート７０４は、フットベッド１３０の本体７０６と一体に形成されてもよい。例えば、フットインサート７０４は、成形プロセスを介してフットベッド１３０の本体７０６と一体的に形成されてもよい。
【０１３５】
図７Ｂには、本開示の少なくとも１つの実施形態によるフットベッド１３０の概略底面図７０２が示されている。図７Ｂに示すように、フットベッド１３０の底部は、取り外し可能なフットベッド１３０を履物物品に結合するための１つ以上の取り付け手段を含み得る。例えば、取り付け手段は、フットベッド１３０のつま先のつま先取り付け領域７１０およびフットベッド１３０のヒールのヒール取り付け領域７０８のうちの１つまたは複数を含むことができる。しかしながら、フットベッド１３０の底部では、より多くの取り付け領域、または、より少ない取り付け領域とすることができる。追加的または代替的に、各取り付け領域のサイズおよび形状を変えることができる。少なくとも１つの例では、つま先取り付け領域７１０およびヒール取り付け領域７０８のサイズを最小化することが望ましい場合があり、それにより、フットウェア物品からフットベッド１３０を容易に挿入および取り外すことができる。
【０１３６】
少なくとも１つの例では、フットベッド１３０の底部の取り付け領域７０８、７１０は、履物物品のソール１０２の上部の受け部と嵌合するためのループおよびフック領域であってもよい。ただし、一時的な接着などの他の取り付け手段も可能である。
【０１３７】
追加または代替として、フットベッド１３０は、溝付きセクション７１２を含むことができ、溝付きセクション７１２は、フットベッド１３０の側面および底部に配置することができる。フットベッドが溝付きセクション７１２を含むことができる例では、溝付きセクション７１２はフットベッド１３０の本体７０６に対して凹んでいてもよい。例えば、溝７１２は、フットベッド１３０の底面または側面に対して凹んでいてもよい。少なくとも１つの例では、溝付きセクション７１２は、フットベッド１３０の底部にエッチングされてもよい。しかし、他の例では、フットベッド１３０は溝付きセクション７１２で成形されてもよい。フットベッド１３０の底部の溝付きセクション７１２は、例えば、履物装置内のフットベッド１３０のグリップを改善するのに役立ち得る。さらに、溝は、取り外し可能なフットベッドの底の排水と通気を支援するのに有益な場合がある。
【０１３８】
追加的または代替的に、フットベッド１３０は、フットベッド１３０の屈曲領域７１６を形成する１つ以上の屈曲溝７１８を備えてもよい。例えば、フットベッド１３０の屈曲溝７１８は、屈曲領域７１６でのフットベッド１３０の柔軟性を改善するために、フットベッド１３０の残りの部分よりも薄い領域である。少なくとも１つの例では、屈曲溝７１８は互いに平行でなくてもよい。例えば、フレックス溝７１８は、フットベッド１３０の外側７２２でのフレックス溝７１８の間隔と比較して、フットベッド１３０の内側７２０で互いに近くてもよい。さらに、フットベッド１３０の屈曲領域７１６は、履物物品のつま先側１２８にあってもよい。屈曲領域７１６の屈曲溝７１８のそのような位置決めは、使用中の使用者の足の動きでフットベッド１３０が屈曲するのに有益であり得る。
【０１３９】
いくつかの例では、取り外し可能なフットベッド１３０を履物物品のソール１０２の上部に結合するために、取り付け手段の１つまたは組み合わせを使用してもよい。上述のように、履物物品のフットベッド１３０はＥＶＡで作られてもよい。したがって、ＰＵを含むフットベッド１３０はより耐久性があり、ＰＵで作られ得るフットベッド１３０の交換は、ＥＶＡなどの他の材料の場合よりも頻繁に行われずに済む。しかしながら、フットベッド１３０には他の材料を用いることも可能である。
【０１４０】
図８に示すように、フットベッド１３０の底部の取り付け領域７０８、７１０は、履物物品のソール１０２の上部と嵌合することができる。
【０１４１】
具体的には、図８は、履物物品のソール１０２の上部の概略上面図８００を示す。図８に示すように、ソール１０２の上部は、つま先取り付け領域８０２およびヒール取り付け領域６０４を備えてもよい。したがって、フットベッド１３０の底部のヒール取り付け領域７０８は、ヒール取り付け領域６０４と連結されてもよく、フットベッド１３０の底部のつま先取り付け領域７１０は、フットベッド１３０のつま先取り付け領域８０２と連結されてもよい。いくつかの例では、足底つま先取り付け領域７１０、フットベッドヒール取り付け領域７０８は、ループおよびフック機構を介して、対応する靴底つま先取り付け領域８０２および足底ヒール取り付け領域６０４と連結されてもよい。
【０１４２】
フットベッド１３０の取り付け領域７０８、７１０がループおよびフック材料を含むことができる例では、フットウェア製品のソール１０２の上部の材料は、ソール１０２の上部と結合し、フットベッド１３０を有効にするためにループおよびフック材料を含むこともできる。いくつかの例では、履物物品のソール１０２の上部はすべて、フットベッド１３０を結合するための対応する取り付け材料（例えば、ループおよびフック）でできていてもよい。あるいは、ヒール取り付け領域６０４およびつま先取り付け領域８０２のみがループおよびフック材料を含んでもよい。
【０１４３】
例えば、履物物品のソールの上部の一部のみが、フットベッド１３０の底部の取り付け領域に対応する取り付け材料を含んでもよい。フットベッド１３０の取り付け領域がフットベッド１３０のつま先取り付け領域７１０およびヒール取り付け領域７０８を含み得る実施形態では、つま先取り付け領域７１０およびヒール取り付け領域７０８の両方が取り付け材料を含んでもよい。そして、フットベッドは、つま先取り付け領域７１０とヒール取り付け領域７０８との間に取り付け材料を含まなくてもよい。さらに、そのような例では、履物物品のソール１０２の上部は、フットベッド１３０の取り付け領域に対応する領域に、つま先取り付け領域７１０およびヒール取り付け領域７０８の対応する取り付け材料のみを含むことができる。したがって、フットベッド１３０の取り付け領域がフットベッドのつま先とヒールのみにある例では、フットベッド１３０を受け入れるためのソールの上部は、ソールの上部のつま先およびヒールに対応する取り付け材料のみを含むことができる。
【０１４４】
しかし、他の例では、靴底の上部の構造を単純化し、履物物品の靴底の上部の受け部にフットベッド１３０を配置しやすくするために、履物物品のソールの上部全体が、対応する取り付け材料を含んでもよく、フットベッドは、フットベッドの底部の一部にのみ取り付け領域を備えていてもよい。
【０１４５】
追加的または代替的に、フットベッド取り付け領域７０８、７１０はフットベッド１３０の底面から突出してもよく、ソール取り付け領域６０４、８０２は、履物物品１３０のソール１０２の上部に形成された対応する受け部であってもよい。例えば、ソール取り付け領域は、フットベッド１３０の取り付け領域と形状および位置が一致してもよい。したがって、フットベッド１３０が、フットベッド１３０の底面に対して隆起したつま先取り付け領域７１０およびヒール取り付け領域７０８を含む場合、ソール１０２の上部の取り付け領域６０４、８０２は、対応する受け部とすることができる。足底取り付け領域７０８、７１０は、ソール１０２の上面に対して窪んでおり、ソール１０２のつま先とヒールに配置されている。
【０１４６】
付加的にまたは代替的に、取り付け領域６０４、８０２がソール１０２の頂部の受け部であることにより、フットベッド１３０の取り付け領域７０８、７１０を受容するためにソール１０２の上面に対して凹んでおり、フットベッド１３０のソール１０２への強力で緊密な結合を行うことができる。さらに、取り付け手段（例えば、ループおよびフック）が摩耗した場合であっても、フットベッドと履物の靴底は結合したままとなり得る。
【０１４７】
すなわち、フットベッド１３０を受け入れるソールの上部の形状は凹んでいてよく、その結果、取り付け領域に加えて、フットベッド１３０および履物物品のソールは、ソール自体の形状を介して結合され得る。例えば、靴底の頂部は、靴底の頂部の周囲の全部または一部の周りに隆起したエッジを含んでもよく、それにより、フットベッド１３０が靴底の受け部に配置された場合には、フットベッド１３０は、少なくとも部分的にソールの隆起した縁により所定の位置に保持され得る。履物物品における靴底の結合において、靴底の上部の受容形状と、特定の取り付け材料の両方を利用することにより、より強い結合が形成され得る。
【０１４８】
しかしながら、他の例では、フットベッドの取り付け領域は、フットベッドの底面に対して隆起しているのとは対照的に、フットベッドの底面と実質的に同一平面であってもよい。フットベッドの底面と実質的に面一である取り付け領域を形成することは、例えば、履物物品のソールの構造を単純化するために有利となり得る。
【０１４９】
ここで図９を参照する。図９は、本開示の少なくとも１つの例による履物物品の上面図９００を示し、履物物品のレーシングシステム、オーバーレイ、およびフットベッドは、見やすくするために取り外した状態である。
【０１５０】
上面図９００に示すように、ニット素材１０１を含むアッパー１０６は、単一の一片である。単一部品のアッパー１０６は、本明細書で中間部分とも呼ばれる本体１０８と、本体から横方向に延びる複数のストラップ１１０とを備える。アッパー１０６のストラップ１２４は、アッパー１０６の長手方向軸１０３に関して対称であってもよい。さらに、隣接するストラップ１１０の各対の間には、開口部１２４がアッパー１０６に形成されている。ストラップ１１０ａ、１１０ｄとアッパー１０６の足首領域との間のニットアッパーに形成されたさらなる開口部１２４、ならびにストラップ１１０ｃ、１１０ｆとアッパー１０６のつま先領域との間に形成された開口部がある。単一部品のアッパー１０６は、ヒールストラップ１３２をさらに含み、アッパー１０６の足首領域およびヒールストラップ１３２は、足首開口部１３６の周囲を画定する。触覚点１５２、１５４は、足首開口部１３６のサイズを操作しやすくするために、足首開口部１３６の周囲を形成するアッパー１０６の一部に固定されてもよい。
【０１５１】
図１０は、履物物品の底面図１０００を示す。図１０に示すように、アーチ部１０５ａ、１０５ｂは、履物物品のつま先領域１２８とヒール領域１２６との間の履物物品の輪郭部分に配置される。さらに、底面図７００は、使用中の履物物品のグリップの改善に有益であり得る履物物品のアウトソール１０７の輪郭を示す。
【０１５２】
したがって、本明細書で提供されるのは、履物物品である。少なくとも一例では、履物物品は、ニット内側部分と、ニット内側部分から延びる複数のニットストラップとを含む、単一ピースのニットアッパーを備えてもよい。内側コードセクションは、ニット内側部分の上部に配置されてもよく、それぞれが複数のニットストラップの対応するニットストラップの上部に配置された複数のストラップコードセクションをさらに含んでもよい。少なくとも１つの例では、ストラップコードセクションのそれぞれは、内側コードセクションと連結するループを形成してもよく、ソールはニットアッパーに連結されてもよい。
【０１５３】
加えて、複数のストラップオーバーレイが含まれ、複数のストラップオーバーレイのそれぞれは、複数のストラップコードセクションの対応するストラップコードセクション上に配置される。上述の例示の履物物品のいずれか１つまたは組み合わせを含むことができる別の例示の履物物品では、複数のストラップオーバーレイのそれぞれは、対応するストラップコードセクションの長さの約８０％を覆い得る。さらに、少なくとも１つの例では、複数のストラップオーバーレイのそれぞれは、そこに形成された１つ以上の開口部を含み得る。
【０１５４】
上記の特徴の任意の１つまたは組み合わせを含むことができる別の例示的な履物物品では、単一片のニットアッパーは、ニットヒールストラップをさらに含む。さらに、ヒールコードセクションはニットヒールストラップ上に配置され、ヒールストラップオーバーレイはヒールコードセクション上に配置されてもよい。いくつかの例では、例示の履物物品は、靴底の上部に結合された取り外し可能なフットベッドを含んでもよく、取り外し可能なフットベッドは、履物物品の外部の一部を形成する。
【０１５５】
上記の特徴のいずれかを含み得るさらに別の履物物品の例では、履物物品は、ニットアッパー、ニット中間部分を含むニットアッパー、およびニット中間部分から延びる複数のニットストラップを含み得る。複数のニットストラップは、履物物品の縦方向に互いに隣接してもよく、例えば、ニットアッパーのエッジによって画定される開口部は、隣接するストラップの各対の間に形成されてもよい。さらに、エッジパイピングは、隣接するストラップの各ペアの間で、開口部を定義するニットアッパーのエッジに形成され固定される。上述のような複数のコードセクションを備えるレーシングシステムは、ニットアッパー上に配置されてもよく、複数のオーバーレイがレーシングシステム上に配置されてもよい。ソールをニットのアッパーに結合してもよい。少なくとも一例では、レーシングシステムは、複数のストラップコードセクションを備え、複数のストラップコードセクションの各ストラップコードセクションは、複数のニットストラップの対応するニットストラップの上に配置される。さらに、複数のストラップコードセクションの各ストラップコードセクションの一部は、複数のオーバーレイの対応するストラップオーバーレイによって覆われてもよく、内側ニット部分に隣接する各ストラップコードセクションの端部は、対応するストラップオーバーレイで覆われていない場合がある。そのような例では、対応するストラップオーバーレイによって覆われない内側ニット部分に隣接する各ストラップコードセクションの端部は、ストラップコードセクションの長さの約２０％である。さらに、複数のストラップオーバーレイのそれぞれは、少なくとも一例では、開口部を露出する１つまたは複数のストラップコードを備えてもよい。例示的な履物物品は、靴底および靴底のループおよびフック取り付け領域を介して靴底の上部に連結され、靴底の上部に配置された、取り外し可能なフットベッドをさらに備えてもよい。
【０１５６】
前の例のいずれか１つまたは組み合わせを含むことができる別の履物物品の例では、履物物品は、ニット内側部分、内側部分から延びる複数のニットストラップ、およびニットヒールストラップを含むニットアッパーを含んでもよい。加えて、例示の履物物品は、ニット内側部分上に配置される内側コードセクションを含み、ニットヒールストラップの上に配置され、複数のコードトラッピングオーバーレイがレーシングコード構造の上に配置され、複数のニットストラップのそれぞれの上に配置されるストラップコードセクション、およびヒールコードセクションを含むレーシングコード構造をさらに含んでもよい。少なくとも一例では、靴底をニットアッパーに結合し、取り外し可能なフットベッドを靴底の上部に結合してもよく、取り外し可能なフットベッドは履物物品の外側の一部を形成する。
【０１５７】
１つ以上の例では、ニットアッパーは、ニットヒールストラップをさらに含んでもよく、ニットヒールストラップと取り外し可能なフットベッドの上部との間にヒール開口部が形成される。さらに、レーシング構造のヒールコードセクションがニットヒールストラップに連結されている場合、ヒールコードセクションはレーシング構造の内側コードセクションと連動してもよい。さらに、少なくとも１つの例では、複数のストラップコードループのそれぞれは、内側コードセクションと連動してもよい。上記の機能のいずれか１つまたは組み合わせを含むことができる少なくとも１つの履物物品の例では、複数のコードがトラップしているオーバーレイは、プラスチック材料を含んでもよい。
さらに、少なくとも１つの例では、取り外し可能なフットベッドは耐水性材料を含むことができる。
【０１５８】
本明細書で説明される構成および／または手法は本質的に例示であり、これらの特定の実施形態または例は、多数の変形が可能であるため、限定的な意味で考慮されるべきではない。
本開示の主題は、本明細書に開示される様々な特徴、機能、動作、および／または特性のすべての新規かつ非自明な組み合わせおよびサブコンビネーション、ならびにそれらのあらゆる同等物を含む。
【図１】
2020508807.tif 000003
【図２】
2020508807.tif 000004
【図３】
2020508807.tif 000005
【図４】
2020508807.tif 000006
【図５】
2020508807.tif 000007
【図６Ａ】
2020508807.tif 000008
【図６Ｂ】
2020508807.tif 000009
【図７Ａ】
2020508807.tif 000010
【図７Ｂ】
2020508807.tif 000011
【図８】
2020508807.tif 000012
【図９】
2020508807.tif 000013
【図１０】
2020508807.tif 000014
【国際調査報告】
2020508807.tif 000015
2020508807.tif 000016